(57)【要約】      （修正有）【課題】装置、システムおよび方法は、地理的に分散された基地局を有する通信システムにおけるリバースリンク通信を効率的に管理する。【解決手段】サービスしていない基地局は、サービスしている基地局として識別した移動局によるサービスしていない基地局において検出された結合負荷インジケーターを決定し、サービスしている基地局に転送する。サービスしている基地局は、サービスしていない基地局における結合負荷を計算する。サービスを受けていない基地局によりサービスされる移動局は、利用可能なキャパシティーに従って負荷スケジュールされる。【選択図】図１１
2011024243.tif 000002
【特許請求の範囲】
【請求項１】
下記を具備する、分散された基地局通信システムにおいて他の基地局における予測される結合負荷を決定するための、移動局に対してサービスしている基地局として機能する基地局において実行される方法：
他の基地局において測定され、一連のアクティブな基地局内の他の基地局を維持する前記移動局のリバースリンク送信による結合負荷の結合負荷インジケーターを、前記他の基地局から受信する；および
前記結合負荷インジケーターおよび前記移動局の移動局送信パラメーターに基づいて、前記移動局による前記他の基地局に対する予測される結合負荷を決定する。
【請求項２】
前記予測される結合負荷を前記他の基地局に送ることをさらに具備する、請求項１に記載の方法。
【請求項３】
前記予測される結合負荷を送ることは、前記基地局と前記他の基地局との間に接続された迂回中継を介して前記予測される結合負荷を送信することを具備する、請求項１に記載の方法。
【請求項４】
前記移動局送信パラメーターは、前記移動局からのリバースリンク送信の送信データレートを具備する、請求項１に記載の方法。
【請求項５】
前記移動局送信パラメーターは、送信電力レベルを具備する、請求項４に記載の方法。
【請求項６】
前記結合負荷インジケーターは、他の基地局において測定されたチップあたりのエネルギー対雑音プラス干渉比（Ｅcp／Ｎt）を表す、請求項１に記載の方法。
【請求項７】
前記予測される結合負荷は、前記他の基地局における予測されるチップあたりのエネルギー対雑音プラス干渉比（Ｅcp／Ｎt）を表す、請求項１に記載の方法。
【請求項８】
下記を具備する、分散基地局通信システムにおいてリバースリンク通信を管理するための、基地局において実行される方法：
他の基地局によりサービスされている少なくとも１つの移動局のリバースリンク送信により前記基地局における予測される結合負荷に基づいて前記基地局のための利用可能なキャパシティを決定する；および
前記最大利用可能なキャパシティに従って、前記基地局を他の基地局のサービスしている基地局として識別する他の基地局にリバースリンクリソースを割り当てる。
【請求項９】
前記他の基地局から前記予測される結合負荷を受信する、請求項８に記載の方法。
【請求項１０】
前記予測される結合負荷は、前記基地局における測定された結合負荷および前記移動局の移動局送信パラメーターに基づく、請求項９に記載の方法。
【請求項１１】
前記移動局送信パラメーターは、前記移動局の送信レートを具備する、請求項１０に記載の方法。
【請求項１２】
前記移動局送信パラメーターは、前記移動局の送信電力レベルを具備する、請求項１０に記載の方法。
【請求項１３】
前記利用可能なキャパシティを決定することは、前記基地局の前記合計キャパシティと少なくとも前記予測される結合負荷との間の差を計算することを具備する、請求項８に記載の方法。
【請求項１４】
前記差を計算することは、他のソースによる前記負荷と、複数の他の基地局によりサービスされる複数の移動局に対応する複数の予測される結合負荷を加算することにより合計負荷を計算すること；および
前記合計キャパシティと前記合計負荷との間の差を計算し、前記利用可能なキャパシティを生成することを具備する、請求項１３に記載の方法。
【請求項１５】
下記を具備する、通信システムにおいて移動局から、地理的に分散された基地局へのリバースリンク送信を管理する方法：
複数の基地局において、複数の他の基地局から、前記基地局をサービスしている基地局として識別する移動局のリバースリンク送信により前記他の基地局において測定された結合負荷パラメーターに基づいて結合負荷インジケーターを受信する；
前記基地局のおのおのにおいて、前記結合負荷インジケーターおよび前記移動局の移動局送信パラメーターに基づいて、前記移動局による前記他の基地局に対する予測される結合負荷を決定する；
前記予測される結合負荷を前記他の基地局に送る；
前記予測される結合負荷に基づいて前記他の基地局のおのおのの利用可能なキャパシティを決定する；および
前記他の基地局の前記利用可能なキャパシティに従って前記他の基地局のおのおのにおいてリバースリンクチャネルリソースを割り当てる。
【請求項１６】
前記利用可能なキャパシティを決定することは、前記他の基地局のおのおのにおいて、前記他の基地局のおのおのの合計キャパシティと、少なくとも前記他の基地局を前記サービスしている基地局として識別するすべての移動局のリバースリンク送信による前記予測される結合負荷の合計との間の差を計算することを含み、各移動局は、前記サービスしている基地局の対応するサービスしている基地局を識別する、請求項１５に記載の方法。
【請求項１７】
前記差を計算することは、他のソースから生じるすべての負荷と、各他の基地局において受信された前記予測される結合負荷の合計を計算し合計負荷を生じること；および
各他の基地局における前記合計のキャパシティと各他の基地局における前記合計の負荷との間の差を計算し、前記利用可能なキャパシティを生成することを具備する、請求項１６に記載の方法。
【請求項１８】
前記予測される結合負荷を送ることは、前記基地局と前記他の基地局との間に接続された迂回中継を介して前記予測される結合負荷を送信することを具備する、請求項１５に記載の方法。
【請求項１９】
前記移動局送信パラメーターは、前記移動局からのリバースリンク送信の送信データレートを具備する、請求項１５に記載の方法。
【請求項２０】
前記移動局送信パラメーターは、さらに移動局送信電力レベルをさらに具備する、請求項１５に記載の方法。
【請求項２１】
前記結合負荷インジケーターは、前記基地局において測定されたチップあたりのエネルギー対雑音プラス干渉比（Ｅcp／Ｎt）を表す、請求項１５に記載の方法。
【請求項２２】
前記予測される結合負荷は、前記基地局におけるチップあたりのエネルギー対雑音プラス干渉比（Ｅcp／Ｎt）を表す、請求項１５に記載の方法。
【請求項２３】
下記を具備する基地局：
他の基地局から、他の基地局において測定され、一連のアクティブな基地局において前記他の基地局を維持する移動局のリバースリンク送信による結合負荷の結合負荷インジケーターを受信するように構成された制御インターフェース；および
前記結合負荷インジケーターおよび前記移動局の移動局送信パラメーターに基づいて、前記移動局の予想された送信により前記他の基地局に対する予測される結合負荷を決定するように構成されたプロセッサー。
【請求項２４】
前記制御インターフェースは、さらに前記予測される結合負荷を前記他の基地局に送るように構成される、請求項２３に記載の基地局。
【請求項２５】
前記制御インターフェースはさらに前記基地局および前記他の基地局に接続された迂回中継を介して前記予測される結合負荷を送信するようにさらに構成される、請求項２３に記載の基地局。
【請求項２６】
前記移動局送信パラメーターは、前記移動局からのリバースリンク送信の送信データレートを具備する、請求項２３に記載の基地局。
【請求項２７】
前記移動局送信パラメーターは、さらに送信電力レベルを具備する、請求項２６に記載の基地局。
【請求項２８】
前記結合負荷インジケーターは、前記他の基地局において測定されたチップあたりのエネルギー対雑音プラス干渉比（Ｅcp／Ｎt）を表す、請求項２３に記載の基地局。
【請求項２９】
前記予測される結合負荷は、前記他の基地局における、予測されるチップあたりのエネルギー対雑音プラス干渉比（Ｅcp／Ｎt）を表す、請求項２３に記載の基地局。
【請求項３０】
下記を具備する基地局：
他の基地局によりサービスされている少なくとも１つの移動局によって、前記基地局における予測される結合負荷に基づいて前記基地局のための利用可能なキャパシティを決定する；および
前記最大の利用可能なキャパシティに従って、前記基地局を前記他の移動局のサービスしている基地局として識別する他の移動局にリソースを割り当てるように構成されたプロセッサー。
【請求項３１】
前記他の基地局から前記予測される結合負荷を受信するように構成された制御インターフェースをさらに具備する、請求項３０に記載の基地局。
【請求項３２】
前記予測される結合負荷は、前記基地局において測定される結合負荷パラメーターおよび前記移動局の送信パラメーターに基づく、請求項３１に記載の基地局。
【請求項３３】
前記送信パラメーターは、前記移動局の送信レートを具備する、請求項３２に記載の基地局。
【請求項３４】
前記送信パラメーターは、前記移動局の送信電力レベルを具備する、請求項３２に記載の基地局。
【請求項３５】
前記基地局の前記合計キャパシティと少なくとも前記予測される結合負荷との間の差を計算することにより前記利用可能なキャパシティを決定するようにさらに構成される、請求項３０に記載の基地局。
【請求項３６】
他のソースによる前記負荷と複数の他の基地局によりサービスされる複数の移動局に対応する複数の予測される結合負荷を加算することにより合計負荷を計算し；および
前記合計キャパシティと前記合計負荷との間の差を計算し、前記利用可能なキャパシティを生成することにより前記差を計算するようにさらに構成される、請求項３５に記載の基地局。
【請求項３７】
下記を具備する通信システム：
第２のセットの複数の基地局から前記第２のセットの前記基地局の各々において測定された結合負荷パラメーターの結合負荷インジケーターを受信するように構成された第１のセットの地理的に分散された基地局、移動局のリバースリンク送信による結合負荷は、前記第１のセットの基地局をサービスしている基地局として識別する；
前記結合負荷インジケーターおよび前記移動局の移動局送信パラメーターに基づいて、前記移動局のリバースリンク送信により、前記第２のセットの基地局に対する予測される結合負荷を決定するように構成されるプロセッサーを具備する前記第１のセットの基地局の各々；
前記予測される結合負荷を前記第２のセットの基地局に送るように構成された制御インターフェースを具備する前記第１のセットの基地局の各々；
前記予測される結合負荷に基づいて前記第２のセットの前記基地局の各々の利用可能なキャパシティを決定するように構成されたプロセッサーを具備する前記第２のセットの基地局の各々；および
前記第２のセットの基地局の各々の前記利用可能なキャパシティに従って前記他の移動局にリバースリンクチャネルを割り当てるために他の移動局と通信するように構成される無線トランシーバーを具備する前記第２のセットの基地局の各々。
【請求項３８】
前記送信パラメーターは、前記移動局の送信データレートを具備する、請求項３７に記載の通信システム。
【請求項３９】
前記送信パラメーターは、前記移動局の送信電力レベルを具備する、請求項３７に記載の通信システム。
【請求項４０】
前記プロセッサーは、前記基地局の合計キャパシティと少なくとも前記予測される結合負荷との間の差を計算することにより前記利用可能なキャパシティを決定するようにさらに構成される、請求項３７に記載の通信システム。
【請求項４１】
前記プロセッサーは、他のソースによる負荷と複数の他の基地局によりサービスされる複数の移動局に対応する複数の予測される結合負荷を加算することにより合計負荷を計算し；および
前記合計キャパシティと前記合計負荷との間の差を計算して前記利用可能なキャパシティを生成することにより前記差を計算するようにさらに構成される、請求項３７に記載の通信システム。
【請求項４２】
下記を具備する、分散基地局通信システムにおいてリバースリンク通信を制御するための、移動局のためのサービスしている基地局として機能する基地局において実行される方法：
前記移動局に対してサービスしていない基地局として機能する他の基地局における最大結合負荷を表す最大許容結合負荷を受信する、前記最大許容結合負荷は、前記基地局によりサービスされる移動局のリバースリンク送信により前記他の基地局における保存された最大負荷であると決定される；
前記移動局により前記他の基地局において測定された結合負荷パラメーターを表す結合負荷インジケーターを受信する；および
前記最大許容結合負荷に従って前記移動局のリバースリンク送信を管理する。
【請求項４３】
前記最大許容結合負荷インジケーターに従って、複数の移動局間でリバースリンクリソースを割り当てる、前記複数の移動局の各々は、前記基地局によりサービスされ、一連のアクティブな基地局における他の基地局を維持することをさらに具備する、請求項４２に記載の方法。
【請求項４４】
前記リバースリンクリソースを割り当てることは、
前記複数の移動局の各々による前記他の基地局において予測される結合負荷を計算する、各予測される結合負荷は、前記移動局に対応する前記結合負荷インジケーターおよび前記移動局の送信パラメーターに基づく、請求項４３の方法。
【請求項４５】
前記移動局送信パラメーターは、前記移動局からのリバースリンク送信の送信データレートを具備する、請求項４４に記載の方法。
【請求項４６】
前記移動局送信パラメーターは、前記リバースリンク送信の送信電力レベルを具備する、請求項４５に記載の方法。
【請求項４７】
前記結合負荷インジケーターは、前記他の基地局において測定されたチップあたりのエネルギー対雑音プラス干渉比（Ｅcp／Ｎt）を表す、請求項４６に記載の方法。
【請求項４８】
前記最大許容結合負荷は、前記他の基地局における許容可能なチップあたりのエネルギー対雑音プラス干渉比（Ｅcp／Ｎt）を表す、請求項４６に記載の方法。
【請求項４９】
下記を具備する、分散基地局通信システムにおいてリバースリンク通信を制御するための、移動局のためのサービスしていない基地局として機能する基地局において実行される方法：
他の基地局によりサービスされる移動局のリバースリンク送信による基地局において測定される結合負荷パラメーターを表す結合負荷インジケーターを他の基地局に送る、前記移動局は、一連のアクティブな基地局内の前記基地局を維持する；および
前記基地局において保存される最大結合負荷を表す最大許容結合負荷を前記移動局に送る。
【請求項５０】
前記基地局によりサービスされる他の移動局のリバースリンクリソース要求に基づいて前記最大許容結合負荷を決定することをさらに具備する、請求項４９に記載の方法。
【請求項５１】
前記最大許容結合負荷を決定することは、前記基地局によりサービスされる前記他の移動局の送信優先度に基づいて前記最大許容結合負荷を決定することをさらに具備する、請求項５０に記載の方法。
【請求項５２】
前記結合負荷インジケーターは、前記基地局において測定されたチップあたりのエネルギー対雑音プラス干渉比（Ｅcp／Ｎt）を表す、請求項５０に記載の方法。
【請求項５３】
前記最大許容結合負荷は、前記基地局における許容可能な予測されるチップあたりのエネルギー対雑音プラス干渉比（Ｅcp／Ｎt）を表す、請求項５０に記載の方法。
【請求項５４】
下記を具備する基地局：
他の基地局から、前記他の基地局において測定され、一連のアクティブな基地局内の前記他の基地局を維持する移動局のリバースリンク送信による結合負荷パラメーターの結合負荷インジケーターを受信するように構成された制御インターフェース、前記制御インターフェースは、さらに前記移動局に対してサービスしていない基地局として機能する前記他の基地局における最大結合負荷を表す最大許容結合負荷を受信するように構成され、前記最大許容結合負荷は、前記基地局によりサービスされる移動局による前記他の基地局における前記保存された最大負荷であるように決定される；および
前記最大許容結合負荷に従ってリバースリンクリソースを割り当てるように構成されるプロセッサー。
【請求項５５】
前記プロセッサーは、最大許容結合負荷に従って複数の移動局間でリバースリンクリソースを割り当てることによりリバースリンクリソースを割り当てるように構成される、請求項５４に記載の基地局。
【請求項５６】
前記プロセッサーは、さらに、下記によって前記リバースリンクリソースを割り当てるようにさらに構成される、請求項５５に記載の基地局：
前記複数の移動局の各々により前記他の基地局における予測される結合負荷を計算する、各予測される結合負荷は、前記移動局に対応する前記結合負荷インジケーターおよび前記移動局の送信パラメーターに基づく；および
前記他の基地局に対応する前記予測される結合負荷の合計が前記最大許容結合負荷未満であるように前記移動局の前記リバースリンク送信を制御する。
【請求項５７】
前記移動局送信パラメーターは、前記移動局からのリバースリンク送信の送信データレートを具備する、請求項５６に記載の基地局。
【請求項５８】
前記移動局送信パラメーターは、送信電力レベルを具備する、請求項４５に記載の基地局。
【請求項５９】
前記結合負荷インジケーターは、前記他の基地局において測定されたチップあたりのエネルギー対雑音プラス干渉比（Ｅcp／Ｎt）を表す、請求項４６に記載の基地局。
【請求項６０】
前記最大許容結合負荷は、前記他の基地局において許容可能なチップあたりのエネルギー対雑音プラス干渉比（Ｅcp／Ｎt）を表す、請求項４６に記載の基地局。
【請求項６１】
下記を具備する、基地局：
他の基地局に、前記他の基地局によりサービスされる移動局のリバースリンク送信による基地局において測定された結合負荷パラメーターを表す結合負荷インジケーターを送信するように構成された通信インターフェース、前記移動局は、一連のアクティブな基地局内の前記基地局を維持し、前記他の基地局に、前記移動局のリバースリンク送信のための前記基地局における保存された最大結合負荷を表す最大許容負荷を送信するように構成される；および
前記基地局によりサービスされる他の移動局のリバースリンクリソース要求に基づいて前記最大結合負荷を決定するように構成されるプロセッサー。
【請求項６２】
前記プロセッサーは、さらに前記基地局によりサービスされる他の移動局の送信優先度に基づいて前記最大許容結合負荷を決定するように構成される、請求項６１に記載の基地局。
【請求項６３】
前記プロセッサーは、さらに前記他の基地局によりサービスされる前記移動局のリバースリンク送信の結合負荷パラメーターに基づいて前記最大許容結合負荷を決定するように構成される、請求項６２に記載の基地局。
【請求項６４】
前記結合負荷インジケーターは、前記基地局において測定されたチップあたりのエネルギー対雑音プラス干渉比（Ｅcp／Ｎt）を表す、請求項６１に記載の基地局。
【請求項６５】
前記最大許容結合負荷は、前記基地局において許容可能な予測されるチップあたりのエネルギー対雑音プラス干渉比（Ｅcp／Ｎt）を表す、請求項６１に記載の基地局。
【発明の詳細な説明】
【技術分野】
【０００１】
関連出願のクロスリファレンス
この出願は、参照することにより全体が本明細書に組み込まれる、「リバースリンク通信負荷スケジューリングの分散制御のための方法および装置」(Method and Apparatus for Distributed Control Of Reverse Link Communication LoadScheduling)という題の、２００３年６月１６日に出願された米国仮出願シリアル番号６０／４７９，２５２、および「リバースリンク通信負荷スケジューリングのための分散制御のための方法及び装置」(Method and Apparatus for Distributed Control Of Reverse Link Communication Load Scheduling)という題の、２００３年６月１９日に出願された米国仮出願の利益を主張する。
【０００２】
本発明は、一般に通信システムに関し、特に、通信システムにおいてリバースリンク（アップリンク）通信を管理するための装置、システム、および方法に関する。
【背景技術】
【０００３】
多くの無線通信システムは、地理的に分散された基地局を採用し、通信セルまたは領域を供給する。そこでは、サービスする基地局が、サービスする基地局に対応する領域内の移動局に通信サービスを供給する。ある状況において、各移動局から基地局に送信されたリバースリンク信号は、他の移動局から送信された他のリバースリンク信号と干渉する。干渉と限られたリソースのために、各基地局のキャパシティは限られている。基地局のリバースリンクキャパシティは、基地局によりサービスされる移動局によるリバースリンク負荷により、他の基地局によりサービスされる移動局による結合リバースリンク負荷により、および他の雑音源により影響される。リバースリンク負荷スケジューリングは、移動局の送信を制御することによりシステムリソースの効率的な使用を最大にするための機構を提供する。従来の通信システムでは、集中型のコントローラーは、リバースリンク負荷およびリバースリンク結合負荷並びに他の要因を評価し、適切な負荷スケジューリングを決定する。しかしながら、ほとんどのデータアプリケーションの場合、移動局は、単一のサービスする基地局により制御され、スケジューリング遅延を低減している。だけれども、リバースリンク送信は、他の基地局において負荷に影響を与える可能性がある。
【０００４】
しかしながら、従来のシステムはいくつかの方法で制限されている。例えば、集中型のコントローラーとの通信は著しい遅延を生じる。各基地局によって集められた情報は、集中型のコントローラーへ転送される。集中型のコントローラーは情報を処理し、各基地局の最適の負荷キャパシティを決定し、基地局の各々へ最適の負荷キャパシティを送る。
【０００５】
各基地局は、各基地局がコントローラーによって提供される更新された負荷キャパシティに従ってサービスしている移動局の通信を制限する。しかしながら、チャネル条件は、最適の負荷キャパシティを送信し、処理し、かつ受信するために要求される間しばしば変わる。従って、基地局は、最適のレベルとは著しく異なるレベルで動作しているかもしれず、未使用のリソースまたは過負荷状態を生じているかもしれない。例えば、過負荷状態を生じるかもしれない。この場合、コントローラーにより提供される最新の最適なキャパシティ情報に従って動作している基地局は、その最大キャパシティ付近で動作しようとしている他の基地局に負担をかけすぎるかもしれない。なぜなら、システムの遅延は新しいチャネル条件が、基地局に運ばれた情報に反映することができなかったからである。過負荷状態は、データ脱落、メッセージの再送信および他の好ましくない結果を引き起こす。
【発明の概要】
【０００６】
従って、地理的に分散された基地局を有した通信システムにおいて、リバースチャネルリソースを効率的に割り当てるための装置、システム、および方法の必要性がある。
【図面の簡単な説明】
【０００７】
【図１】図１は、本発明の典型的な実施形態に従って地理的に分散された基地局を有する通信システムのブロック図である。
【図２】図２は、一つの移動局が、サービスしている基地局としておよびサービスしていない基地局として機能する基地局と通信している場合の通信システムの一部のブロック図である。
【図３】図３は本発明の例示実施形態に従う基地局のブロック図である。
【図４】図４は、本発明の典型的な実施形態に従って移動局と基地局との間の例示的関係を図解するブロック図である。
【図５】図５は、本発明の典型的な実施形態に従って移動局と基地局の例示的な関係を図解する表である。
【図６】図６は本発明の例示実施形態に従って基地局において経験されるリバースリンクの例示的分散およびリバースリンク結合負荷のグラフ表示である。
【図７】図７は、本発明の第１の例示実施形態に従がう通信システムの一部のブロック図である。
【図８】図８は、本発明の第１の例示実施形態に従ってサービスしている基地局において実行される予測される、結合負荷を決定する方法のフローチャートである。
【図９】図９は、本発明の第１の例示実施形態に従ってサービスしていない基地局における利用可能なキャパシティを決定する方法のフローチャートである。
【図１０】図１０は、本発明の第１の例示実施形態に従って通信システム内のリバースリンクチャネルリソースを管理するフローチャートである。
【図１１】図１１は、本発明の第２の例示実施形態に従う通信システムの一部のブロック図である。
【図１２】図１２は、本発明の第２の例示実施形態に従って、サービスする基地局として機能する基地局において実行されるリバースリンクチャネルを管理する方法のフローチャートである。
【図１３】図１３は、本発明の第２の例示実施形態に従って、サービスしていない基地局として機能する基地局におけるリバースリンクチャネルを管理する方法のフローチャートである。
【図１４】図１４は、本発明の第２の例示実施形態に従って、地理的に分散された基地局を有する通信システムにおいてリバースリンクチャネルリソースを割り当てる方法のフローチャートである。
【図１５】図１５は、本発明の第３の例示実施形態に従って、地理的に分散された基地局との通信サービスを移動局に供給する通信システムの一部のブロック図である。
【図１６】図１６は、本発明の第３の例示実施形態に従って、地理的に分散された基地局を有する通信システムにおいてリバースリンクリソースを管理する、基地局において実行される方法のフローチャートである。
【発明を実施するための最良の形態】
【０００８】
装置、システムおよび方法は、分散された基地局通信システムにおいてリバースリンク通信を管理する。本明細書において議論される例示実施形態において、リバースリンク通信は、通信システム内の基地局により分散的に管理される。リバースリンクチャネルを管理するための従来の技術に関連する遅延は、リバースリンク管理が中央コントローラーとの通信に依存しないので、回避される。第１の例示実施形態において、サービスしていない基地局は、他の基地局を、サービスしている基地局として識別した移動局によるサービスしていない基地局において検出された結合負荷パラメーターに基づいて結合負荷インジケーターを決定する。結合負荷パラメーターは、サービスしていない基地局において経験される結合負荷の表示を供給するパラメーターであり、正規化されかつ平均化された受信された信号対雑音比（ＳＮＲ）および移動局の速度のようなパラメーターを含んでいてもよい。結合負荷パラメーターに基づいた結合負荷インジケーターは、サービスしている基地局に転送される。サービスしている基地局は、結合負荷インジケーターおよびスケジュールされた送信データレートのような移動局の送信パラメーターに基づいてサービスしていない基地局における予測される結合負荷を計算する。予測される結合負荷は、サービスしていない基地局に転送され、ここでは、サービスしていない基地局は、予測される結合負荷を考慮することにより利用可能なキャパシティを計算する。サービスしていない基地局によりサービスされる移動局は計算された利用可能なキャパシティに従って負荷スケジュールされる。
【０００９】
第２の例示実施形態において、サービスしていない基地局は、その他のサービスしている基地局によりスケジュールされた移動局による最大許容結合負荷を計算する。サービスしていない基地局は、その他の基地局をサービスしている基地局として識別したすべての移動局によるサービスしていない基地局における（正規化された平均化された受信信号対雑音比（ＳＮＲ））のような）結合負荷パラメーターに基づいて結合負荷インジケーターを決定する。第２の例示実施形態において、サービスしていない基地局に関連する最大許容結合負荷は、スケジューリング期間毎にサービスしている基地局に転送され、移動局の測定された結合負荷表示は、相対的に低い周波数で、サービスしている基地局に転送される。考慮中のサービスしている基地局はまた、その他の移動局のためのサービスしていない基地局であってもよい。サービスしている基地局はまた、他の基地局によりサービスされている移動局からの最大許容結合付加を決定する。サービスしている基地局は、他の基地局から受信した最大許容結合負荷により課せられた制約に適合しながら基地局によりスケジュールされていない移動局のために確保されている最大許容結合負荷に従って負荷スケジューリングを実行する。
【００１０】
本発明の第３の実施形態において、サービスしている基地局は、他の基地局によりサービスされている移動局のリバースリンク送信により、推定される予測される結合負荷に従って、移動局のリバースリンク送信をスケジュールする。各基地局は、他の基地局によりサービスされる移動局による、予測される結合負荷を推定する。推定された結合負荷および基地局のキャパシティに基づいて、基地局は、基地局によりサービスされる移動局を負荷スケジュールする。それゆえ、第３の例示実施形態において、基地局は、他の基地局から明白なまたは直接の結合負荷情報を受信しない。従って、第３の例示実施形態は、迂回中継が基地局間の結合負荷情報の通信をサポートしない場合に特に有効である。いくつかある技術のうちのいずれでも推定された結合負荷を計算するのに使用してもよいが、推定は、第３の実施形態において移動局の以前のリバースリンク送信に基づく。各基地局は、実際の伝送速度および測定されたＳＮＲに基づいて基地局によりスケジュールされない移動局からの結合負荷を測定する。結合負荷の以前の測定値は、次のスケジュールされた送信期間中に予測される結合負荷を推定する統計関数に供給される。統計関数は、ある環境において、順応して変更してもよい相関に依存する。予測される結合負荷の「盲目」の決定は、あるマージン(margin)内で、基地局に利用可能な利用可能キャパシティを決定し、基地局によりサービスされる移動局をスケジュールする。
【００１１】
図１は、本発明の典型的な実施形態に従って地理的に分散された基地局１０２、１０４、１０６、１０８を使用して、移動局１１０、１１２および１１４に無線通信サービスを提供する通信システム１００のブロック図である。図２は通信システムのブロック図である。この場合、単一の移動局２０２は、移動局２０２に対してサービスしている基地局２０４およびサービスしていない基地局２０６として機能する基地局（１０２−１０８）と通信している。任意の特別の時に、基地局（１０２−１０８）は、特別の移動局（１１０−１１４）に対してサービスしている基地局２０４またはサービスしていない基地局２０６として機能してもよいし、または移動局（１１０−１１４）のために任意の機能を直接実行しなくてもよい。明瞭さのために、４つの基地局１０２、１０４、１０６、１０８および３つの移動局１１０、１１２、１１４が、図１において表わされる。通信システムは、任意の数の基地局（１０２−１０８）および移動局（１１０−１１４）並びに他の通信機器を含んでいてもよい。示された典型的な実施形態では、通信システム１００は、音声サービスおよびデータサービスを提供するために符号分割多元接続（ＣＤＭＡ）通信技術を利用するセルラー通信システムである。当業者は、既知の技術に従って本明細書における教示を適用することにより本発明に使用するのに適した様々な他の種類の通信システムを容易に認識するであろう。
【００１２】
各基地局１０２、１０４、１０６、１０８は、サービス領域１１６、１１８、１２０、１２２またはセル内の移動局（１１０、１１２、１１４）に無線通信サービスを提供する。サービス領域１１６−１２０は、移動局１１０−１１４がどの時点においても２以上の基地局１０２−１０８と通信してもよいように重畳する。移動局１１０−１１４が、基地局１０２−１０８のサービス領域内にあれば、移動局１１０−１１４は基地局１０２−１０８を動作中の基地局１０２−１０８であると識別するであろう。しかしながら、以下にさらに詳細に述べるように、只１つの基地局（１０２−１０８）のみがデータ通信のために特定の移動局（１１０−１１４）に対してサービスしている基地局２０４として機能する。サービスしている基地局２０４は、移動局２０２の次の送信をスケジューリングすることに関与する基地局である。図１は、サービスしている領域１１６、１１８、１２０、１２２を表す各基地局１０２−１０８を取り囲む例示形状を含む。この場合、基地局１０２−１０８は、サービス領域１１６−１２２内の移動局２０２（１１０−１１４）のためにサービスしている基地局２０４として機能する可能性が最も高い。各移動局１１０−１１４は、アクティブな基地局の集合をメモリに維持する。この場合、その集合のメンバーは、要求される基準を満たす通信リンクを介して通信する。移動局１１０−１１４、２０２のためのアクティブな基地局（１０２−１０８）を選択するための適切な方法の一例は、基地局１０２−１０８から送信された信号が適切なレベルで移動局１１０−１１４において受信されるときアクティブな基地局（１０２−１０８）として識別することを含む。例示実施形態において、アクティブな基地局（１０２−１０８）、２０４、２０６は、基地局１０２−１０８、２０４、２０６から送信されたパイロット信号の受信された信号強度に基づいて選択される。いくつかの状況では、アクティブな基地局（１０２−１０８）２０４、２０６を選択するために他の技術を使用してもよい。アクティブな基地局（１０２−１０８）、２０４、２０６は、移動局１１０−１１４、２０２に通信サービスを提供する。この場合、サービスの質とデータレートは、種々の理由により基地局１０２−１０８間で変化してもよい。
【００１３】
例示実施形態において、アクティブな基地局（１０２−１０８）のうちの１つは、音声情報以外のデータの通信のためにサービスする基地局２０４として選択される。任意のいくつかの技術および基準を使用して、サービスする基地局２０４を選択してもよい。サービスする基地局２０４は、フォワード通信リンク（基地局１０２−１０８（２０４）から移動局１１０−１１４（２０２））、リバース通信リンク（移動局１１０−１１４（２０２）から基地局１０２−１０８（２０４））またはリバース通信リンクとフォワード通信リンク２１２，２１０の両方の特性に基づいて選択してもよい。例えば、フォワードおよびリバースリンクチャネル２１０、２１２の品質は、チャネルの搬送波対干渉比により決定してもよい。例示実施形態において、リバースリンクチャネル品質インジケータチャネルに含まれる情報を用いてサービスしている基地局２０４を識別し、Ｒ−ＣＱＩＣＨチャネルにより識別される。サービスしている基地局２０４は、電力制御コマンドを送信することによりスケジューリング許可を介してデータ伝送速度を割り当てるおよび閾値を越えるリバースリンクパイロットの受信されたＳＮＲを維持するような種々のタスクを実行することにより、サービスしている基地局がサービスしている移動局２０２からの通信に応答する。さらに、サービスしている基地局２０４は移動局２０２からの送信を復号し、ハイブリッド−ＡＲＱの場合にはアクノレジメントを送信し、一方、サービスしていない基地局も送信を復号してソフトハンドオフの場合には、ＡＣＫを送信する。図１においてサービス領域を表す囲まれた形状は、例示の地理的サービス領域１１６−１２２を定義する。この場合、領域１１６−１２２内の移動局１１０−１１４は、おそらく対応する基地局１０２−１０８と適切な通信をし、サービスしている基地局２０４として特定の基地局１０２−１０８を識別するであろう。しかしながら、他の基地局（１０２−１０８）が移動局１１０−１１４、２０２に対してアクティブな基地局（１０２−１０８）として動作してもよい。図１に図解するように、第１の移動局１１０は、第１の基地局１０２により提供される第１のサービス領域１１６内にあり、第２の移動局１１２は、第２の基地局１０４により提供される第２のサービス領域１１８内にあり、第３の移動局１１４は、第３の基地局１０６により提供される第３のサービス領域１２０内にあり、第４の基地局１０８は第４のサービス領域１２２を提供する。
【００１４】
図３は、本発明の例示実施形態に従う基地局３００のブロック図である。例示基地局３００は、図１および図２を参照して述べた基地局１０２−１０８、２０４、２０６のいずれか１つとして使用するのに適している。基地局３００は、基地局１０２−１０８に対する機能を実行するハードウェア、ソフトウェアおよびファームウェアの任意の組合せを含んでいてもよい。図３に記載されるブロックの機能および動作は、任意の数の装置、回路またはソフトウエアで実施してもよい。２つ以上の機能ブロックを単一の装置内に統合してもよいし、任意の単一の装置またはブロック内で実行されるものとして記載される機能は、いくつかの装置上で実施してもよい。例えば、いくつかの受信プロセスはプロセッサー３０４によって実行してもよい。
【００１５】
基地局は、特定の通信システム１００のプロトコルに従って移動局１１０−１１４と通信するように構成された無線トランシーバー３０２を含む。無線周波数信号は、いくつかの状況においてセクターを含んでもよいアンテナ３０８を介して交換される。無線トランシーバー３０２は、フォワードリンクチャネル２１２を介して信号を変調し、増幅し、および送信し、リバースリンクチャネル２１０を介して移動局１１０−１１４により送信されるリバースリンク信号を受信し、復調する。
【００１６】
プロセッサー３０４は、任意のプロセッサー、マイクロプロセッサー、コンピューター、マイクロコンピューター、または本明細書に記載した基地局３００の制御機能および計算機能を実行し、並びに基地局３００の全体の機能性を容易にするのに適したプロセッサーの組み合わせである。プロセッサー３０４上で実行されているソフトウエアは、信号を測定し処理する方法のステップおよび例示実施形態のリバースリンク管理機能を実行するための方法のステップを実行する。
【００１７】
迂回中継インターフェース３０６は、通信システム１００の迂回中継２０８に対するインターフェースを提供する。迂回中継インターフェース３０６は、迂回中継２０８を介して信号を交換するためのハードウエアおよびソフトウエアを含む。プロセッサー３０４は、迂回中継インターフェース３０６を介して、コントローラーおよび他の基地局と情報を送受信する。
【００１８】
図４は、本発明の例示実施形態に従って、移動局１１０−１１４と基地局１０２−１０８との間の例示的関係を図解するブロック図であり、図５は表５００である。図４において基地局１０２−１０８を移動局１１０−１１４に接続する実線は、移動局２０２（１１０−１１４の１つ）と対応するサービスしている基地局２０４（１０２−１０８の１つ）との間の接続を表し、破線は、移動局２０２（１１０−１１４の１つ）とサービスしていないアクティブな基地局２０６（１０２−１０８の１つ）との間の接続を表す。本明細書で述べるように、サービスしていないアクティブな基地局２０６（１０２−１０８）は、サービスしている基地局２０４ではない移動局２０２のアクティブな基地局の集合において識別された基地局３００である。図４および図５において図解された例示状況において、各移動局１１０−１１４は、移動局１１０−１１４およびサービスしていないアクティブな基地局（１０２−１０８）であるすべての他の基地局（１０２−１０８）を含むサービス領域１１６−１２２に対応するサービス基地局２０４を含むアクティブな基地局の集合を維持する。従って、例示状況の場合、基地局１０２−１０８のすべては移動局１１０−１１４の各々によりアクティブな基地局として維持される。基地局からかなりの距離離れた移動局は、アクティブな基地局の集合内の基地局を維持しないかもしれず、基地局は、たとえ、基地局が移動局からリバースリンク干渉を受信するかもしれないとしても移動局に対してサービスしていない基地局として識別されないであろう。信号強度が十分強く、その送信が処理される移動局のみが基地局により考慮される。簡単に単一の移動局１１０の焦点を合わせると、第１の基地局１０２は、第１の移動局のためのサービスしている基地局２０４であり、第２の基地局１０４、第３の基地局１０６、および第４の基地局１０８は、第１の移動局１１０、２０２に対してサービスしていない基地局２０６である。それゆえ、移動局１１０−１１４の各々のリバースリンク送信は、基地局１０２−１０８の各々において受信される。だけれども、この例において任意の特定の移動局１１０−１１４に対して基地局１０２−１０８のうちの１つのみがサービスしている基地局２０４として動作し、他の基地局はサービスしていない（アクティブな）基地局２０６として動作する。その結果、基地局１０２において直面されるリバースリンク負荷およびリバースリンク結合負荷は、基地局１０２によりサービスされる移動局１１０のリバースリンク負荷および他の移動局１１２、１１４の送信により生じる結合負荷による。
【００１９】
図６は、本発明の例示実施形態に従って基地局１０２−１０８において経験されるリバースリンク負荷およびリバースリンク結合負荷の例示分散の負荷円グラフ６００の図解である。負荷円グラフの種々のセクション６０２−６０８は、例示状況の場合測定することができるまたはシミュレートすることができる移動局１１０−１１４から生じる結合されたリバースリンク負荷を表す。任意の基地局１０２−１０８において、合計の結合リバースリンク負荷は移動局１１０−１１４からの送信から生じてもよい。この場合、合計リバースリンク負荷の各部分（６０２−６０８）は、特定のカテゴリ内の移動局（１１０−１１４）による。負荷部分（６０２−６０８）はサービスしていない結合付加部分６０２、サービスしている単一でない付加部分６０４、サービスしている単一部分６０６、および原因不明である結合負荷部分６０８を含んでいてもよい。サービスしていない結合負荷部分６０２は、アクティブな基地局の集合内の基地局（１０２−１０８）を含むが基地局（１０２−１０８）以外の基地局（１０２−１０８）によりサービスされている移動局（１１０−１１４）のすべてによる結合リバースリンク負荷を含む。それゆえ、サービスしていない結合負荷部分６０２に寄与する移動局１１０−１１４は、基地局（１０２−１０８）をサービスしている基地局２０４として識別しなかった。
【００２０】
非単一のサービスしている負荷部分６０４は、基地局（１０２−１０８）によりサービスされているすべての移動局１１０−１１４の結合されたリバースリンク負荷を含むが、アクティブな基地局のリストに他の基地局（１０２−１０８）を含む。それゆえ、非単一のサービスしている負荷部分６０４に寄与する移動局１１０−１１４は、基地局（１０２−１０８）をサービスしている基地局として識別したが、また、他の基地局（１０２−１０８）をサービスしていないアクティブな基地局として識別した。
【００２１】
単一のサービスしている負荷部分６０６は、基地局（１０２−１０８）によりサービスされるすべての移動局の結合されたリバースリンク負荷を含む。この場合、基地局（１０２、１０８）は、移動局１１０−１１４のいずれかのアクティブな基地局の集合内の唯一の基地局である。
【００２２】
原因不明の負荷部分６０８は、すべての他のリバースリンク信号と、他の負荷部分６０２、６０４、６０６のいずれかに含まれていなかった合計リバースリンク負荷に寄与する雑音を含む。原因不明の負荷部分６０８に寄与するかもしれないソースの一例は、アクティブセット内の基地局を含まないが合計結合負荷に寄与するために基地局に十分に近い移動局からのリバースリンク送信を含む。そのような移動局はあまりにも遠くにあるので、アクティブな基地局の集合内に基地局を含むように基地局と適切な通信リンクを有することができないが、重要でない寄与の合計は、リバースリンクキャパシティ内の割当を取るのに十分大きい。
【００２３】
負荷部分６０２−６０８の相対的なサイズは、絶えず変わるチャネル条件のためにほとんどの状況において時間に対して変化するであろう。変化する条件はいくつかの要因によるかもしれない。例えば、移動局１１０−１１４の移動、障害物の移動、または移動局１１０−１１４を取り外す必要性および移動局１１０−１１４のひどく不均一な分散により基地局間で移動局を転送する必要性による。部分６０２−６０８のすべての結合された負荷が基地局のキャパシティを超えるとき、移動局へのサービスの質（ＱｏＳ）が損害を受け、システムはわずかに不安定になり、セルのサービスエリアが減少し呼を落とす結果となる。負荷が基地局１０２−１０８のキャパシティ未満である場合、データレートが移動局１１０−１１４の要求に従って調節されないならリソースの非効率な使用が生じる可能性がある。例示実施形態に従って、リバースリンク通信は、基地局１０２−１０８により管理され、リバースリンクリソースを（負荷スケジュール）移動局１１０−１１４に効率的に割り当てる。リバースリンクリソースは、例えば、基地局１０２−１０８への負荷に寄与するデータレートおよび電力レベルを含む。
【００２４】
図７は、本発明の第１の例示実施形態に従って地理的に分散された基地局１０２−１０８との通信サービスを移動局１１０−１１４に供給する通信システム１００の一部７００のブロック図である。ほとんどの状況で、通信システム１００は、多数の移動局７０２に無線通信サービスを提供するために戦略的に位置するいくつかの基地局７０４，７０６を含んでいる。移動局７０２と基地局（７０４、７０６）の間の通信チャネルの質によって、移動局７０２はどんな特別の時でも、２つ以上の基地局（７０４、７０６）と通信してもよい。上述したように、各移動局７０２は、アクティブな基地局の集合を維持する。この場合、移動局７０２とアクティブな基地局７０４、７０６との間の通信リンクは通信するのに適している。アクティブな基地局のうち、１つの基地局は、サービスしている基地局７０４として動作し、他方アクティブセット内の他の基地局は、サービスしていない基地局７０６である。そのような状況は典型的にはソフトハンドオフの期間中に生じる。この場合、単一の基地局は、サービスする基地局７０４の機能を実行し、１つ以上の他の基地局は、サービスしていないアクティブな基地局７０６である。条件を保証する場合、サービスしている基地局７０４の役割は、サービスしていないアクティブな基地局７０６として機能する（すなわちハンドオフが生じる）基地局に転送される。
【００２５】
明瞭さのために、図７は、サービスしている基地局７０４およびサービスしていない基地局７０６を含む移動局７０２と２つのアクティブな基地局７０４、７０６を表すブロックを含む。当業者は、これらの教示および既知の技術に基づいて、基地局３００は、多数の移動局７０２に対してサービスしている基地局７０４として機能してもよいし、いずれか１つの移動局７０２は、任意の数のアクティブな基地局７０４、７０６を維持してもよいことを認識するであろう。それゆえ、本明細書で述べられた教示は、任意の数の移動局７０２、サービスする基地局７０４、およびサービスしない基地局７０６に拡大適用してもよい。以下にさらに詳細に述べるように、他の基地局３００は、アクティブな基地局になるために十分な質の、移動局との通信リンクを有していないかもしれないが、アクティブな基地局７０４、７０６のいずれか１つにおいて経験される負荷に寄与するかもしれない。サービスしている基地局７０４は、図１−４に関して上に議論された第１の基地局１０２、第２の基地局１０４または第３の基地局１０６であってよい。サービスしている基地局７０４は、さらに、別の移動局（図７には示されない）のためのサービスしていない基地局７０６として機能してもよい。そして、サービスしていない基地局７０６は、他の移動局（図７に示されない）のためのサービスしている基地局７０４として機能してもよい。従って、基地局１０２−１０８は、いくつかの移動局７０２に対するサービスしている基地局７０４として、および他の移動局に対するサービスしていない基地局として同時に機能してもよい。それゆえ、基地局７０４、７０６の各々のためにここに記載される機能は、ほとんどの状況で基地局の他方によって同時に実行される。
【００２６】
第１の例示実施形態において、サービスしていない基地局７０６として機能する基地局３００は、サービスしている基地局として機能する他の基地局３００から受信した予測される結合負荷７１２に基づいて、予測される利用可能なキャパシティを決定する。この場合、予測される結合負荷７１２は、サービスしている基地局７０４によりサービスされている移動局のリバースリンク送信から生じる、サービスしていない基地局７０６における予測される結合負荷を示す。サービスしている基地局７０４は、サービスしていない基地局７０６から受信した結合負荷インジケーター７１０および次のスケジュールされたデータ送信レートに関連するパラメーターを用いて予測される結合負荷７１２を決定する。サービスしている基地局７０４によりサービスされ、サービスしていない基地局としてサービスしていない基地局７０６を含む複数の移動局７０２があるなら、予測される結合負荷７１２は、予測される結合負荷７１２およびスケジュールされた送信データレートに基づいて移動局の各々に対して決定された予測される結合負荷の合計であり得る。サービスしていない基地局７０６は、移動局７０２のリバースリンク送信２１０を受信して処理し、正規化され、平均化された受信信号対雑音比のような１つ以上の結合負荷パラメーターを決定する。他の結合負荷パラメーターの一例は、移動局７０２の速度である。結合負荷パラメーターに基づいて、サービスしていない基地局７０６は、結合負荷インジケーター７１０を計算する。結合負荷インジケーターは、サービスしている基地局７０４に送られる。
【００２７】
サービスしている基地局７０４は、結合負荷インジケーター７１０および移動局７０２の送信パラメーターを用いて、サービスしていない基地局７０６における予測される結合負荷を決定する。予測される結合負荷は、移動局の予想される将来のリバースリンク送信による、サービスしていない基地局７０６において生じるであろう結合リバースリンク負荷である。サービスしている基地局７０４は、予測される結合負荷７１２を表す値をサービスしていない基地局７０６に送る。サービスしていない基地局７０６は、サービスしていない基地局７０６において予測される利用可能なキャパシティを計算する。予測される利用可能なキャパシティを用いて、サービスしていない基地局７０６は、サービスしていない基地局がサービスしている移動局を適切に負荷スケジューリングすることによりサービスしていない基地局７０６によりサービスされる他の移動局（図示せず）のリバースリンク送信を管理する。２つ以上の移動局７０２がある場合に、サービスしていない基地局は、アクティブセット内にサービスしていない基地局７０６を維持する各移動局７０２のための結合負荷インジケーター７１０を測定し計算する。結合負荷インジケーター７１０は、アクティブな基地局としてサービスしていない基地局７０６を識別する移動局７０２に関連する各サービスする基地局７０４に送られる。
【００２８】
第１の例示実施形態において、結合負荷インジケーターは、チップあたりのエネルギー対雑音プラス干渉比（Ｅcp／Ｎt)であり、Ｅcpは、パイロット信号チップあたりのエネルギーを表す。リバースリンクパイロットが、制御された電力ならば、平均の予測される（Ｅcp／Ｎt）は、特定の期間において平均チップ（Ｅcp／Ｎt)により計算される。結合負荷インジケーター７１０は、平均の予測される（Ｅcp／Ｎt）または平均の予測される（Ｅcp／Ｎt）の任意の関数であってもよい。
【００２９】
結合負荷インジケーター７１０をサービスしている基地局７０４に送るための他の方法をいくつかの環境において使用してもよいけれども、結合負荷インジケーターは、第１の例示実施形態の迂回中継２０８を介して送信される。従って、適切なメッセージングおよびアドレッシングを用いて、迂回中継２０８を介して結合負荷インジケーター７１０を発見するために使用される。迂回中継インターフェース３０６は、迂回中継を介して結合負荷インジケーターを交換するために任意の必要な変換または処理を実行する。いくつかの状況では、結合負荷インジケーター７１０は、サービスしていない基地局７０６とサービスしている基地局７０４との間の直接通信リンクを介して送信することができる。例えば、いくつかの状況において、無線周波数またはマイクロ波のポイントツーポイントシステムリンクは結合負荷インジケーター７１０を送信するために使用することができる。さらに、いくつかの状況では、結合負荷インジケーター７１０は、移動局７０２を介して運んでもよい。
【００３０】
第１の例示実施形態において、サービスしている基地局７０４は、次の送信サイクル期間に送信が予測される移動局７０２を識別し、サービスしていない基地局７０６から受信した結合負荷インジケーター７１０（例えばＥcp／Ｎt）、および次の送信期間に使用するように移動局７０２が認可された（スケジュールされた）送信データレートに基づいて、予測される結合負荷７１２を発生する。それゆえ、第１の例示実施形態において、送信パラメーターは、移動局７０２の予想されたデータレートを少なくとも含む。さらに、サービスしていない基地局７０６において、二次パイロット送信または制御チャネルトラヒック対パイロット比のような他の送信パラメータを用いて予測される結合負荷を計算してもよい。制御チャネルおよび音声チャネル上の自立した送信が生じるシナリオにおいて、予測される結合負荷７１２は、これらのチャネルにより寄与される平均の予測される結合負荷を考慮してもよい。第１の例示実施形態において、予測される結合負荷７１２は、移動局７０２の予測される将来の送信においてサービスしていない基地局７０６により経験されるであろう予測されるＥcp／Ｎt、およびスケジュールされた送信データレートを含む他の送信パラメーターのある関数である。サービスしている基地局７０４は、結合負荷インジケーター７１０に基づいて予測される結合負荷７１２を発生し、予測される結合負荷７１２をサービスしていない基地局７０６に送る。それゆえ、第１の例示実施形態において、予測される結合負荷７１２は、サービスしていない基地局７０４において測定されたＥcp／Ｎt、制御チャネルおよび音声チャネル上のリバースリンク送信チャネル、および移動局７０２のトラヒックチャネル上のデータレートに基づく。しかしながら、予測される結合負荷７１２は、いくつかの状況において他の値を表してもよい。例えば、予測される結合負荷７１２は、以前の送信に比べてサービスしていない基地局において経験されるであろう結合負荷内の予測される変化を表してもよい。
【００３１】
サービスしている基地局７０４がアクティブな基地局の集合内の少なくとも１つの他のサービスしていない基地局７０６を含んだ２以上の移動局７０２をサービスしている場合、サービスしている基地局７０４は、結合負荷インジケーター７１０をサービスしている基地局７０４に送った各サービスしていない基地局７０６のための予測された結合負荷７１２を発生する。従って、サービスしていない基地局７０６として機能する任意の特定の基地局３００は、サービスしている基地局７０４として機能する任意の数の基地局３００から、予測される結合負荷７１２を受信してもよい。
【００３２】
第１の例示実施形態において、予測される結合負荷７１２は、迂回中継２０８を介してサービスしていない基地局７０４に送信される。迂回中継インターフェース３０６は、必要な処理およびフォーマッティングを実行し、迂回中継２０８を介して予測される結合負荷７１２を、サービスしていない基地局７０４として機能する基地局３００に送信する。いくつかの状況において、他の技術を用いて予測される結合負荷７１２を送ってもよい。
【００３３】
基地局３００が、合計負荷のサービスしていない結合負荷部分６０２に寄与する移動局７０２の適切なサービスする基地局７０４のすべてから予測される結合負荷７１２を受信した後、サービスしていない基地局７０６（３００）は、利用可能なキャパシティを決定する。予測される結合負荷７１２のすべての合計は、基地局３００における合計負荷の予測されるサービスしていない結合負荷部分である。利用可能なキャパシティは、サービスしていない基地局７０６（３００）の合計キャパシタと、予測されるサービスしていない結合負荷部分（４０２）の合計と、原因不明の負荷部分４０８の差である。それゆえ、音声または基本リバースチャネルトラヒックによる負荷を考慮した後、利用可能なキャパシティ（ＣＡＶ）は、以下のように表すことができる：
ＣAV＝ＣTOT−（ＬｏａｄEX＋ＬｏａｄUA）
但し、ＣTOTは、音声および基本リバースチャネルトラヒックによる負荷を考慮した後のセルの合計キャパシティである。ＬｏａｄEXは、他の基地局によりサービスされ、基地局がアクティブな基地局の集合に含まれる移動局による予測されるサービスしていない結合負荷である。およびＬｏａｄUAは、他のソースによる負荷である。
【００３４】
利用可能なキャパシティを使用して、移動局７０２のためのサービスしていない基地局７０６として機能する基地局３００は、サービスしていない基地局がサービスしている移動局にリバースリンクリソース（負荷スケジュール）を割り当てる。例示実施形態において、サービスしていない基地局７０６は、他のアクティブな基地局を維持する移動局にリソースを割り当てた後、アクティブな基地局内の任意の他の基地局を有さない移動局を負荷スケジュールする。
【００３５】
図８は、本発明の第１の例に従って少なくとも１つの移動局７０２に対してサービスしている基地局７０４として機能する基地局３００において実行される予測される結合負荷を維持する方法のフローチャートである。いくつかの状況において、図８で述べた方法は、サービスしていない基地局７０６としても機能する基地局３００内で実行される。図８を参照して記載される方法は、少なくとも１つのサービスしていない基地局７０６が、サービスしている基地局７０４によりサービスされている少なくとも１つの移動局７０２のアクティブな基地局の集合内に維持される場合に実行される。ここに述べられる技術は、任意の数の基地局３００および移動局１１０−１１４に適用することができる。例示実施形態において、方法は、１つ以上の基地局３００内のプロセッサー３０４上で実行しているソフトウェアコードで少なくとも部分的に実行される。当業者は、既知の技術に従ってここにおける教示に基づいて述べられる方法を実施するのに適することができる種々の技術を容易に認識するであろう。
【００３６】
ステップ８０２において、少なくとも１つの移動局７０２に対してサービスしていない基地局７０６として機能する基地局３００から結合負荷インジケーター７１０が受信される。結合負荷インジケーター７１０は、移動局７０２に対してサービスしている基地局７０４として機能する他の基地局３００によりサービスされる移動局７０２によりサービスしていない基地局７０６において測定された結合負荷を示す。サービスしていない基地局７０６は、移動局７０２により維持されるアクティブな基地局の集合内に含まれる。第１の例示実施形態において、結合負荷インジケーター７１０は、サービスしていない基地局７０６において測定されたＥcp／ＮTを表す。
【００３７】
ステップ８０４において、サービスしている基地局７０４は、結合負荷インジケーター７１０および少なくとも１つの送信パラメーターに基づいて移動局７０２による、サービスしていない基地局７０６における予測される結合負荷７１２を決定する。第１の例示実施形態において、サービスしている基地局７０４は、サービスしていない基地局において測定された結合負荷インジケーター７１０、将来の予測される送信のための移動局のスケジュールされたデータ送信レート、および移動局７０２の送信電力レベルに基づいて次の送信で送信することが期待される移動局７０２のための予測される結合負荷７１２を計算する。それゆえ、予測される結合負荷は、アクティブな基地局の移動局のリスト内のサービスする基地局７０４とサービスしない基地局７０６を含む移動局７０２のリバースリンク送信による、サービスしていない基地局７０６に対する予測される負荷である。
【００３８】
ステップ８０６において、予測される結合負荷７１２は、移動局７０２に対してサービスしていない基地局７０６として機能する基地局３００に送られる。第１の例示実施形態において、予測される結合負荷７１２は、移動局７０２の将来の予測される送信による、サービスしていない基地局７０６におけるスケジュールされた送信データレートおよび予測されるＥcp／Ｎtレベルの関数として予測される負荷を表す。しかしながら、予測される結合負荷７１２は、他のパラメーターまたは値を表してもよい。例えば、予測される結合負荷７１２は、以前の送信に比べて移動局７０２の将来の送信による、サービスしていない基地局７０６において経験される負荷内の予測される変化を表してもよい。第１の例示実施形態において、予測される結合負荷インジケーター７１２は、適切なプロトコルに準拠するようにフォーマットされ通信システム１００の迂回中継２０８を介して送信される。予測される結合負荷インジケーター７１２は、他の技術を用いてサービスしていない基地局７０６に送ってもよい。例えば、ポイントツーポイントマイクロ波リンクのような、サービスしている基地局とサービスしていない基地局との間のダイレクトリンク通信リンクを用いて予測される結合負荷を送ることができる。
【００３９】
図９は、本発明の第１の例示実施形態に従ってサービスしていない基地局７０６として機能する基地局３００において利用可能なキャパシティを決定する方法のフローチャートである。いくつかの状況において、図９で議論された方法は、他の移動局１１０−１１４に対してサービスしている基地局７０４として機能する基地局３００内において実行される。図９を参照して記載される方法は、少なくとも１つの移動局７０２において維持されるアクティブな基地局の集合がサービスしていない基地局７０６とサービスしている基地局を含む場合に実行される。ここに議論された技術は、任意の数の基地局３００および移動局１１０−１１４に適用することができる。
【００４０】
ステップ９０２において、予測される結合負荷７１２は、少なくともサービスしていない基地局７０６とサービスしている基地局７０４を含むアクティブな基地局の集合を維持する移動局７０２のサービスしている基地局７０４として機能する基地局３００から受信される。上述したように、予測される結合負荷７１２は、移動局７０２の予測される将来の送信による、サービスしていない基地局７０６において経験されると思われる予測される結合負荷を表す。
【００４１】
ステップ９０４において、サービスしていない基地局７０６として機能する基地局３００は、予測される結合負荷７１２に基づいてサービスしていない基地局７０６において利用可能なキャパシティを決定する。音声およびスケジュールされないリバーストラヒックデータを考慮した後、サービスしていない基地局７０６は、合計キャパシティと、すべての負荷および予測される結合負荷の合計との間の差を計算することにより利用可能なキャパシティを決定する。残りは、サービスしていない基地局７０６がサービスする基地局としてサービスしてもよい移動局１１０−１１４のために使用することができるサービスしていない基地局７０６の利用可能なキャパシティを示す。
【００４２】
ステップ９０６において、サービスしていない基地局７０６として機能する基地局３００は、リバースリンクチャネル２１２リソース（負荷スケジュール）を、利用可能なキャパシティに従って移動局７０２に対してサービスしていない基地局７０６として機能する基地局３００によりサービスされる移動局１１０−１１４に割り当てる。サービスしていない基地局７０６は、サービスしていない基地局７０６によりサービスされている任意の移動局１１０−１１４の電力レベルとデータレートを制限することにより利用可能なキャパシティを割り当てる。
【００４３】
例示実施形態において、図８および図９を参照して記載される方法は、いくつかの地理的に分散された基地局３００内で実行される。この場合、任意の基地局３００はいつでも単独でサービスしている基地局７０４として機能し、単独でサービスしていない基地局７０６として機能し、または１つ以上の移動局１１０−１１４に対してサービスしている基地局７０４および１つ以上の他の移動局１１０−１１４に対してサービスしていない基地局７０６の両方として機能してもよい。さらに、移動局７０２は、サービスしている基地局７０４に加えていくつかのサービスしていない基地局７０６を含むアクティブな基地局の集合を維持してもよい。従って、種々の基地局においてリバースリンク負荷を効率的に管理するために、結合負荷インジケーター７１０および予測される結合負荷７１２は、適切な基地局３００に送られ、複数の基地局３００から受信した種々のパラメーターを考慮して計算が実行される。
【００４４】
図１０は、本発明の第１の例示実施形態に従って地理的に分散された基地局３００を有する通信システム１００内のリバースリンクチャネルリソースを割り当てる方法のフローチャートである。上述したように、サービスしている基地局７０４とサービスしていない基地局７０６の機能は、いくつかの移動局１１０−１１４に対してサービスしている基地局として機能し、他の移動局１１０−１１４に対してサービスしていないアクティブな基地局７０６として機能する単一の基地局３００内で実行してもよい。
【００４５】
ステップ１００２において、サービスしている基地局７０４として機能する基地局３００は、サービスしていない基地局７０６として機能する基地局３００において測定された結合負荷インジケーター７１０を受信する。この場合、結合負荷は、サービスしている基地局７０４によりサービスされ、１つ以上のサービスしていない基地局７０６を含むアクティブな基地局の集合を維持する移動局７０２からのリバースリンク送信による。各サービスしていない基地局７０６は、他の基地局３００によりサービスされる移動局による、サービスしていない基地局７０６における測定された結合負荷をあらわす結合負荷インジケーターを、送信のレートとともに発生する。結合負荷インジケーター７１０は、迂回中継７０８を介して、サービスしていない基地局７０６により対応するサービスする基地局７０４に送信される。
【００４６】
種々の基地局３００、７０４、７０６間の関係を特徴づけ、記載するための適切な表記法は、基地局の集合を表示するための添え字を用いることを含む。第１の例示実施形態において、ＢＳjＥservingＢＳ＿ＭＳiの場合を除いて、移動局（ＭＳi）のアクティブセット内にある各基地局（ＢＳj）は、（Ｅcp／Ｎt）jiを測定してＭＳiのためのサービスする基地局に送信する。第１の例示実施形態において、（Ｅcp／Ｎt）jiは、結合負荷インジケーターとして使用される。サービスするＢＳ＿ＭＳiは、移動局（i）のためのサービスする基地局の集合であり、（Ｅcp／Ｎt)ji＋（Ｔ／Ｐ）（Ｒi）＋（Ｃ／Ｐ））／（１＋（Ｅcp／Ｎt)ji（１＋（Ｔ／Ｐ）（Ｒi）＋（Ｃ／Ｐ）））は、サービスする基地局によりサービスされる移動局（ＭＳi)によるサービスしていない基地局（ＢＳj）において経験される結合負荷である。（Ｔ／Ｐ）（Ｒi）は、送信レートがＲiであるときトラヒックチャネルのトラヒック対パイロット比である。（Ｃ／Ｐ）は、パイロット電力比に対する制御チャネル（および基本チャネル）の合計である。例示実施形態において、（Ｅcp／Ｎt)jiを表す値はサービスする基地局（ＢＳＫ）に送信される。
【００４７】
ステップ１００４において、各サービスしている基地局７０４は、サービスしている基地局７０４によりサービスされ、将来の送信期間に送信するはずである移動局７０２を識別する。各基地局（ＢＳｋ）の場合、ＢＳｋは、ＢＳｋによりサービスされ最小優先度を超える優先度を有する移動局を含む集合（ＦＳｋ）を決定する。
【００４８】
ステップ１００６において、各サービスしている基地局７０４は、サービスしている基地局７０４がサービスしている移動局７０２による、サービスしていない基地局７０６に対する予測される結合負荷７１２を決定する。サービスしている基地局７０４は、サービスしている基地局７０４において受信される受信結合負荷インジケーター７１０と、移動局７０２の送信パラメーターに基づいて、送信することが予想される（すなわち、集合ＦＳｋのメンバーである）移動局７０２の各々ための結合負荷を決定する。従って、ＢＳＫは、他のＢＳｊ内のＦＳｋ内のすべてのＭＳｉのための予測される結合負荷を決定する。この場合これらの
【数１】
2011024243.tif 000003
【００４９】
は、以下の式で表される。
【数２】
2011024243.tif 000004
【００５０】
但しＣｏｕｐｌｅｄＬｏａｄkjは、ＢＳkによりサービスされるＭＳiによってＢＳjにおいて経験された合計結合負荷である。
【数３】
2011024243.tif 000005
【００５１】
は、ＭＳiにＲ−ＳＣＨに関するレートＲiが割り当てられるなら干渉比に対する推定信号である。Ｅ［ＲFCH］は、パイロットチャネル電力に対する（基本音声チャネルおよび二次パイロットチャネルを含む）制御チャネル電力の合計である。
【数４】
2011024243.tif 000006
【００５２】
は、以下の式に従う（Ｅcp／Ｎt）jiに関連する。
【数５】
2011024243.tif 000007
【００５３】
但し（Ｔ／Ｐ）（Ｒi）は、サービスする基地局によりスケジュールされるトラヒックチャネル上の送信レートがＲiであるとき、トラヒック対パイロット電力比である。
【００５４】
ステップ１００８において、サービスしている基地局７０４の各々は、予測される結合負荷（ＣｏｕｐｌｅｄＬｏａｄｋｊ）をサービスしていない基地局７０６に送る。予測される結合負荷７１２は、サービスしている基地局７０４により計算される予測される結合負荷を表す。各基地局（ＢＳｋ）は、ＣｏｕｐｌｅｄＬｏａｄｋｊをすべての他の基地局に送る。例示実施形態において、予測される結合負荷７１２は、迂回中継２０８を介して送信される。
【００５５】
ステップ１１１０において、少なくとも１つの移動局７０２に対してサービスしていない基地局７０６として機能し、予測される結合負荷７１２を受信する各基地局３００は、予測される結合負荷７１２に基づいてサービスしていない基地局７０６の利用可能なキャパシティを決定する。サービスしていない基地局の各々は、他の移動局のためのサービスする基地局７０４であってもよいので、各サービスしている基地局７０４は、特定のサービスしている基地局７０４がまたサービスしていない基地局７０６であるなら他のサービスする基地局７０４から結合負荷インジケーターを受信する。従って、ＣｏｕｐｌｅｄＬｏａｄｊｋを受信するＢＳｋの各サービスしていない基地局７０６は、以下の式を使用してＢＳｋにおいて利用可能なキャパシティを決定する。
【数６】
2011024243.tif 000008
【００５６】
但し、ＣｏｕｐｌｅｄｉｎＬｏａｄｋは、他のサービスしている基地局７０４から受信した結合負荷の合計である。Ｃａｖkは、音声および基本リバースチャネルデータトラヒックからのすべての他の負荷寄与を考慮した後のサービスしている基地局における利用可能なキャパシティである。
【００５７】
ステップ１０１２において、サービスしていない基地局としても機能するサービスしている基地局７０４は、サービスしている基地局７０４のための利用可能なキャパシティに従ってリバースリンクチャネルリソースを移動局１１０−１１４（すなわち、負荷スケジュール移動局）に割り当てる。それゆえ、第１の例示実施形態において、サービスしていない基地局７０６でもある各サービスしている基地局７０４は、以下の式により他の基地局も維持するサービスしている基地局７０４によりサービスされる移動局ＭＳiを負荷スケジュールする。
【数７】
2011024243.tif 000009
【００５８】
但しＣｏｕｐｌｅｄｏｕｔｋは、アクティブセット内の複数の基地局を備えるが、サービスしている基地局によりサービスされるすべての移動局のスケジュールされる負荷である。ＣｏｕｐｌｅｄｏｕｔＬｏａｄｋｊは、ＢＳｋによりＢＳｊに送られたＣｏｕｐｌｅｄｉｎＬｏａｄｋｊと同じである。移動局をスケジューリングした後の残りの利用可能なキャパシティに従って、サービスしている基地局ＢＳｋは、リバースチャネルリソースを、唯一のアクティブな基地局としてサービスしている基地局のみを維持する移動局に割り当てる。
【００５９】
それゆえ、本発明の第１の例示実施形態に従って、移動局のアクティブな基地局の集合のメンバーである各基地局３００は、他の基地局７０４によってサービスされるこれらの移動局７０２による結合負荷を測定し、移動局７０２のサービスしている基地局７０４に送る。各サービスしている基地局は、計算する基地局７０４によりサービスされ、他のアクティブな基地局を維持するこれらの移動局７０２のために予測される結合負荷７１２を計算する。各サービスしている基地局７０４は、他の移動局に対してサービスしている基地局として機能している他の基地局３００から受信した予測される結合負荷に基づいて利用可能なキャパシティを計算する。従って、各基地局３００は、基地局３００における合計負荷に寄与する移動局にサービスしている他の基地局により計算される予測される結合負荷に基づいて、利用可能なキャパシティを決定する。リソースは、中央コントローラーを使用することなく効率的に割り当てられ、それにより遅延を最小にし再送信および逸失データの可能性を低減する。
【００６０】
図１１は、本発明の第２の例示実施形態に従う通信システム１００の一部１１００のブロック図である。明瞭さのために、図１１は、２つの移動局と、サービスしている基地局１１０４とサービスしていないアクティブな基地局１００６とを含む２つのアクティブな基地局１１０４、１１０６を表すブロックを含む。当業者は、これらの教示および既知の技術に基づいて、基地局は、多数の移動局１１０２に対してサービスしている基地局１１０４として機能してもよく、任意の１つの移動局１１０２は、任意の数のアクティブな基地局１１０４、１１０６を維持してもよいことを認識するであろう。それゆえ、ここに議論される教示は、任意の数の移動局１１０２、サービスしている基地局１１０４、およびサービスしていない基地局１００６に拡大適用してもよい。サービスしている基地局１１０４は、図１−４を参照して上述した第１の基地局１０２、第２の基地局１０４、または第３の基地局１０６であってもよい。サービスしている基地局１１０４はまた、（図１１に図示しない）他の移動局のためのサービスしていないアクティブな基地局１１０６として機能してもよく、サービスしていない基地局１１０６は、（図１１に図示しない）他の移動局のためのサービスしている基地局として機能してもよい。従って、基地局は、同時に、いくつかの移動局に対してサービスしている基地局１０４として機能し、他の移動局１１０２に対してサービスしていないアクティブな基地局１１０６として機能してもよい。それゆえ、基地局１１０４、１１０６の各々のためにここに記述された機能は、ほとんどの状況において他の基地局１１０４および１１０６によって同時に実行される。
【００６１】
第２の例示実施形態において、サービスしていない基地局１１０６として機能する基地局３００は、サービスしている基地局１１０４として機能する他の基地局によりサービスされる移動局１１０２のための最大許容結合負荷を決定する。サービスしていない基地局１１０６の合計キャパシティと、サービスしていない基地局１１０６によりサービスされる（図示しない）他の移動局による負荷に基づいて、サービスしていない基地局は、サービスしていない基地局１１０６によりサービスされない移動局１１０２による最大許容結合負荷を決定する。第２の例示実施形態において、サービスしていない基地局１１０６は、サービスしている基地局としていくつかの他の基地局１１０４を有する移動局のためのキャパシティを保持する。サービスしていない基地局１１０６は、基地局１１０４によりサービスされる移動局１１０２が、サービスしていない基地局１１０６における合計負荷に寄与することができる最大許容結合負荷を決定する。次に、サービスしていない基地局１１０６は、アクティブな基地局の集合内にサービスしていない基地局１１０６を維持するサービスしている基地局１１０４によりサービスされるすべての移動局１１０２のための最大許容結合負荷１１１２の合計を送る。サービスしていない基地局１１０６は、各移動局１１０２のための結合負荷インジケーターを決定する。結合負荷インジケーター１１１０は、移動局１１０２のリバースリンク送信によりサービスしていない基地局における測定されたトラヒック品質推定値を表す。電力制御パイロットチャネルを備えたＣＤＭＡシステムにおいて、長期の平均化され予測されるパイロットＳＮＲは適切な結合負荷インジケーターである。サービスしている基地局１１０４は、最大許容結合負荷に従ってリバースリンクリソースを移動局１１０２に割り当てる。第２の例示実施形態において、サービスする基地局１１０４は、２つの制約の集合に従ってリバースリンクリソースを割り当てる。制約の第１の集合は、サービスしている基地局１１０４のキャパシティにより課せられ、移動局１１０２に割り当てられた送信データレートが、サービスしている基地局１１０４における利用可能なキャパシティ未満であるサービスしている基地局１１０４における負荷を作ることを要求する。制約の第２の集合は、サービスしていない基地局１１０４により報告された最大許容結合負荷１１１２により課せられる。アクティブセット内のサービスしていない基地局１１０６を備えたすべての移動局に、サービスしている基地局１１０４により割り当てられるレートは、最大許容結合負荷未満のサービスしていない基地局１１０６において負荷を作らなければならない。結合負荷インジケーター１１１０および割り当てられた送信データレートは、サービスしていない基地局１１０４において、移動局１１０２により寄与される予測される負荷を決定する。
【００６２】
図１２は、本発明の第２の例示実施形態に従ってサービスしている基地局として機能する基地局３００において実行されるリバースリンクチャネルを管理する方法のフローチャートである。いくつかの状況において、図１２で議論された方法は、サービスしていない基地局１１０６としても機能する基地局３００において実行される。図１２を参照して記載される方法は、サービスしている基地局１１０４によりサービスされている少なくとも１つの移動局１１０２のアクティブな基地局の集合において少なくとも１つのサービスしていない基地局１１０６が維持される場合、実行される。ここに議論される技術は、任意の数の基地局３００および移動局１１０２に適用することができる。
【００６３】
ステップ１２０２において、サービスしている基地局１１０４として機能する基地局３００は、移動局１１０２に対してサービスしていない基地局１１０６としてサービスしている他の基地局３００における最大許容結合負荷を表す最大許容結合負荷１１１２を受信する。最大許容結合負荷１１１２は、サービスしていない基地局１１０６によりサービスされる移動局の優先度およびサービスレート要求に基づいてサービスしていない基地局１１０６により決定される。
【００６４】
ステップ１２０４において、結合負荷インジケーター１１１０は、サービスしている基地局１１０４において受信される。例示実施形態において、結合負荷インジケーター１１１０は、サービスしていない基地局１１０６において測定された結合負荷パラメーターに基づき、サービスしている基地局１１０４によりサービスされる移動局１１０２のリバースリンク送信２１０によるサービスしていない基地局１１０６において測定されたトラヒックチャネルの品質を表す。
【００６５】
ステップ１２０６において、サービスしている基地局１１０４は、最大許容結合負荷１１１２に従って移動局１１０２のリバースリンク送信を管理する。例示実施形態において、サービスしている基地局１１０４は、アクティブな基地局の集合においてサービスしていない基地局１１０６を維持するすべての移動局１１０２の予測される結合負荷を計算する。各移動局１１０２のための結合負荷インジケーター１１１０および各移動局１１０２の移動局送信パラメーターを用いて、サービスしている基地局１１０４は、移動局１１０２のための予測される結合負荷を計算する。将来の送信の期間に、サービスしていない基地局１１０６における合計の予測される結合負荷が最大許容結合負荷１１１２を超えないように、サービスしている基地局１１０４は、移動局１１０２に対してデータ送信レートをスケジュールする。従って、サービスしている基地局１１０４は、サービスしていない基地局１１０６により供給される制限に準拠しながら移動局１１０２にリソースを割り当て、それによりサービスしていない基地局１１０６における過負荷状態の可能性を最小にする。
【００６６】
図１３は、本発明の第２の例示実施形態に従って、サービスしていない基地局１１０６として機能する基地局３００におけるリバースリンクチャネルリソースを管理する方法のフローチャートである。
【００６７】
ステップ１３０２において、移動局１１０２に対して、サービスしてない基地局１１０６として機能する基地局３００は、移動局１１０２に対してサービスする基地局１１０４として機能する他の基地局３００に、移動局１１０２のリバースリンク送信によってサービスしていない基地局１１０６において測定された結合負荷パラメーターに基づいて結合負荷インジケーターを送る。
【００６８】
ステップ１３０４において、サービスしていない基地局１１０６は、最大の許容結合負荷を決定する。種々の移動局レート要求は、その優先度の降べきの順に配列される。
【００６９】
より高い優先度を備えた移動局にキャパシティが割り当てられた後に、最大許容結合負荷のいくつかの一部分が、前記移動局のためのキャパシティセットは別にしてキャパシティセットに等しいように、移動局１１０２にキャパシティが割り当てられる。
【００７０】
ステップ１３０６において、最大許容負荷を表わす最大許容負荷１１１２は、サービスしている基地局として機能する基地局３００に送られる。第２の例示実施形態において、最大許容結合負荷１１２は、サービスしている基地局１１０４に迂回中継２０８を介して送信される。
【００７１】
図１４は、本発明の第２の例示実施形態に従って地理的に分散された基地局を有する通信システム１００においてリバースリンクチャネルリソースを割り付ける方法のフローチャートである。上述したように、サービスしている基地局１１０４とサービスしていない基地局１１０６の機能は、いくつかの移動局１１０−１１４に対してサービスする基地局１１０４として機能し、他の移動局１１４に対してサービスしていない基地局１１０６として機能する単一の基地局３００内で実行してもよい。
【００７２】
ステップ１４０２において、他の基地局によりサービスされる移動局１１０２のアクティブリスト内で維持されるすべての基地局は、結合負荷インジケーターを、移動局１１０２にサービスしている他の基地局１１０４に送る。結合負荷インジケーター１１１０は、基地局１１０６において測定された結合負荷パラメーターに基づく。第２の例示実施形態において、基地局１１０６は、他の基地局によりサービスされ、一連のアクティブな基地局内の基地局１１０６を維持する移動局１１０２のリバースリンク送信によってＥcp／Ｎt値を測定し送る。
【００７３】
種々の基地局３００、１１０４、１１０６間の関係を特徴づけ記載する適切な表示は、基地局の集合を表示する添え字を用いることを含む。第２の例示実施形態において、
【数８】
2011024243.tif 000010
【００７４】
の場合を除いて、（移動局（ＭＳｉ）のアクティブセット内にある各基地局（ＢＳj）は、（Ｅcp／Nt）jiを測定し、ＭＳiのためにサービスしている基地局に送信する。第２の例示実施形態において、（Ｅcp／Ｎt)jiは結合負荷インジケーター１１１０として使用される。サービスしているＢＳ＿ＭＳiは、移動局（ｉ）のためにサービスしている基地局の集合であり、（Ｅcp／Ｎt)ji（１＋（Ｔ／Ｐ）（Ｒi）＋（Ｃ／Ｐ））／（１＋（Ｅcp／Ｎt)ji(１＋（Ｔ／Ｐ）（Ｒi）＋（Ｃ／Ｐ）））はサービスしている基地局によりサービスされる移動局（ＭＳi）によってサービスしていない基地局（ＢＳj）において経験される結合負荷である。（Ｔ／Ｐ）（Ｒi）は、送信レートがＲiであるときトラヒックチャネルのトラヒック対パイロット比に言及する。（Ｃ／Ｐ）は、制御チャネル（および基本チャネル）電力対パイロット電力比の合計に言及する。例示実施形態において、（Ｅｃｐ／Ｎｔ）jiを表わす値は、サービスしている基地局（ＢＳｋ）に送信される。
【００７５】
ステップ１４０４において、サービスしている基地局１１０４として機能する基地局３００は、基地局１１０４によりサービスされる移動局によりアクティブな基地局の集合内に維持される基地局１１０６から結合負荷インジケーターを受信する。
【００７６】
ステップ１４０６において、基地局は、基地局によりサービスされる移動局の要求と優先度に基づいて他の基地局によりサービスされる移動局による最大許容結合負荷１１１２を決定する。サービスしていない基地局として機能する各基地局ｊ内のスケジューラー機能は、他の基地局によりサービスされる移動局のための最大許容負荷キャパシティ１１１２（ＭａｘＴｏｌｅｒａｂｌｅＣｏｕｐｌｅｄＬｏａｄjk）を保存する。
【００７７】
ステップ１４０８において、基地局は最大許容結合負荷を他の基地局に送る。
【００７８】
従って、サービスしていない基地局として機能する各基地局は、最大許容結合負荷キャパシティ１１１２（ＭａｘＴｏｌｅｒａｂｌｅＣｏｕｐｌｅｄＬｏａｄjk）を、サービスしている基地局ｋに送る。
【００７９】
ステップ１４１０において、サービスしている基地局とし機能する基地局は、基地局によりサービスされる移動局１１０２のアクティブな基地局の集合内に維持されるサービスしてない基地局１１０６から最大許容結合負荷１１０２を受信する。
【００８０】
ステップ１４１２において、基地局は、いくつかの移動局に対してサービスしていない基地局１１０６として機能し、他の移動局に対してサービスしている基地局１１０４として機能する基地局によりサービスされる移動局のための基地局において利用可能なキャパシティを計算する。他の基地局によりサービスされるすべての移動局１１０２のためのキャパシティを保存した後、サービスしていない基地局ｊとして機能する基地局は、以下の式に従って利用可能なキャパシティを計算する。
【数９】
2011024243.tif 000011
【００８１】
但し、Ｃavjは、基地局ｊがサービスしている基地局である移動局をスケジュールするためにサービスしていない基地局ｊにおける利用可能なキャパシティである。係数ｆは、スケジューリングに関与しない移動局のためのキャパシティを保存する際に、基地局ｊがどの程度保存力があるかを表す。ｆ＝０は、スケジューリングしていない移動局のための任意のキャパシティを基地局ｊが保存しない場合を表し、ｆ＝１は、基地局ｊが最も保存力がある場合を表す。
【００８２】
ステップ１４１４において、基地局は、他の基地局から受信した最大許容結合負荷１１１２に従ってリバースリンクリソースを割り当てることによりリバースリンク送信を管理する。第２の例示実施形態において、基地局ｋは、次の基準に従って基地局ｋによりサービスされるすべての移動局ｉに送信データレートを割り当てることによりリバースリンクリソースを割り当てる。
【数１０】
2011024243.tif 000012
【００８３】
但しＣｏｕｐｌｅｄＬｏａｄとＳｉｎｒは、第１の例示実施形態を参照して上に定義される。
【００８４】
従って、各基地局は、他の基地局によりサービスされる移動局による基地局における結合負荷を決定し、これらの移動局のためのキャパシティを保存し、これらの移動局にサービスしているすべての基地局に最大許容結合負荷を送り、および基地局がサービスしている移動局のための利用可能なキャパシティ、および基地局によりサービスされる移動局のサービスしていない基地局から受信した最大許容結合負荷に基づいてリバースリンクリソースを割り当てる。
【００８５】
図１５は、本発明の第３の例示実施形態に従って地理的に分散された基地局１０２−１０８を備えた移動局１１０−１１４に通信サービスを供給する通信システム１００の一部１５００のブロック図である。ほとんどの状況において、通信システム１００は、多数の移動局１５０２に無線通信サービスを提供するために戦略的に位置するいくつかの基地局１５０４および１５０６を含む。移動局１５０２と基地局（１５０４と１５０６）の間の通信チャネルの質によって、移動局１５０２はどんな特別の時でも、１つを越える基地局（１５０４と１５０６）と通信しているかもしれない。上に議論されるように、各移動局１５０２は移動局１５０２とアクティブな基地局１５０４、１５０６の間の通信リンクが、通信に適切な１セットのアクティブな基地局を維持する。アクティブな基地局のうち、アクティブセット内の他の基地局がサービスしていない基地局１５０６である間、１つの基地局はサービスしている基地局１５０４として動作する。単一の基地局がサービスしている基地局１５０４の機能を実行し、１つ以上の基地局はサービスしていないアクティブな基地局１５０６である場合、そのような状況は典型的にソフトハンドオフの期間に生じる。条件が保証される場合、サービスしている基地局１５０４の役割は、サービスしてないアクティブな基地局１５０６として以前に機能していた基地局に転送される。（すなわちハンドオフが生じる）
明瞭さのために、図１５は、サービスしている基地局１５０４とサービスしていない基地局１５０６を含む移動局１５０２と２つのアクティブな基地局１５０４および１５０６を表わすブロックを含む。当業者は、これらの教示と既知の技術に基づいて、基地局３００は、多数の移動局１５０４に対してサービスしている基地局１５０４として機能してもよいし、および任意の１つの移動局１５０２が任意の数のアクティブな基地局１５０４、１５０６を維持してもよいことを認識するであろう。それゆえ、ここに議論された教示は、任意の数の移動局１５０２、サービスしている基地局１５０４、およびサービスしていない基地局１５０６に拡張してもよい。以下にさらに詳細に述べるように、他の基地局３００は、アクティブな基地局になるために十分な質の移動局１５０２を備えた通信リンクを有さないかもしれないが、アクティブな基地局１５０４、１５０６の任意の１つにおいて経験される負荷に寄与するかもしれない。サービスしている基地局１５０４は、図１−４を参照して上に述べた第１の基地局１０２、第２の基地局１０４、または第３の基地局１０６であってもよい。また、サービスしている基地局１５０４は、他の移動局（図１５に図示せず）のためのサービスしていない基地局としても機能してもよく、サービスしてない基地局１５０６は、他の移動局（図１５に図示せず）のためのサービスしている基地局として機能してもよい。従って、基地局１０２−１０８は、同時に、いくつかの移動局１５０２に対してサービスする基地局１５０４として機能してもよく、他の移動局に対してサービスしてない基地局としてサービスしてもよい。それゆえ、基地局１５０４、１５０６の各々のためにここに記載された機能は、ほとんどの状況で基地局の他方によって同時に実行される。
【００８６】
第３の例示実施形態において、サービスしていない基地局１５０６として機能する基地局３００は、他の基地局１５０４によりサービスされる移動局１５０２による予測される結合負荷１５０８を推定し、予測される結合負荷１５０８に従ってリバースリンクリソースを割り当てる。従って、本発明の第３の例示実施形態において、サービスしている基地局１５０４とサービスしていない基地局１５０６との間の迂回中継を介して、直接的なまたは明示的な通信は送られない。サービスしている基地局１５０４は、サービスしている基地局１５０４において受信されるトラヒックチャネルのチャネル品質に基づいて、サービスしているすべての移動局１５０２をスケジュールする。
【００８７】
サービスしていない基地局１５０６は、スケジューリングしていない（すなわちサービスしていない）がサービスしていない基地局１５０６により受信され処理されるリバースリンク信号２１０を送信しているすべての移動局１５０２による寄与される予測される結合負荷１５０８の推定を行った後、サービスしていない基地局１５０６によりサービスされる移動局（図示せず）をスケジュールする。いくつかの状況において、サービスしていない基地局１５０６による予測される結合負荷１５０８の推定は、サービスしていない基地局１５０６とのソフトハンドオフにおいて移動局１５０２の以前の送信が成された測定に基づく。この推定は、１５０６がサービスしていない基地局１５０６であり、任意の他の基地局によりサービスされるすべての移動局１５０２からの合計の予測される結合負荷を含む。
【００８８】
図１６は、本発明の第３の例示実施形態に従って地理的に分散された基地局を有する通信システム１００においてリバースリンクリソースを管理する、基地局３００において、実行される方法のフローチャートである。
【００８９】
ステップ１６０２において、サービスしていない基地局１５０６は、他の基地局１５０４によりサービスされる移動局１５０２のリバースリンク送信２１０によって少なくとも１つの結合負荷パラメーターを測定する。第３の例示実施形態において、送信期間毎に、サービスしていない基地局ｊは、アクティブセット内にＢＳｊを有するがＢＳｊによりスケジュールされないすべてのＭＳｉにより寄与される制御チャネルおよび音声チャネルに関する受信したパイロットＳＮＲ（（Ｅcp／Ｎt）ji）および送信レートを測定する。（Ｅcp／Nt）jiおよび送信レートＲｉに基づいて、（ｎによりインデックスがつけられた）現在の送信期間中の合計結合負荷（ＴｏｔＣｏｕｐｌｅｄＬｏａｄｊ）は、以下の式に従って計算される。
【数１１】
2011024243.tif 000013
【００９０】
ステップ１６０４において、基地局１５０６は、少なくとも１つの以前の送信の測定された合計の結合負荷に基づいて将来の送信のための予測される結合負荷を推定する。任意のいくつかの技術を用いて、将来の送信（ＴｏｔＣｏｕｐｌｅｄＬｏａｄｊ［ｎ＋ｌ］）のための予測される結合負荷を推定してもよく、特定の技術は、通信システム１００のタイプ、リバースリンク２１０、２１２の送信構造、および他の要因に依存する。適切な１つの技術はＴｏｔＣｏｕｐｌｅｄＬｏａｄｊ［ｎ＋１］のための予測される値として測定されたＴｏｔＣｏｕｐｌｅｄＬｏａｄｊ［ｎ］を用いることを含む。別の技術は、以下の方程式によって指定されるＴｏｔＣｏｕｐｌｅｄＬｏａｄｊ［ｎ＋ｌ］を推定するためにフィルターされた平均化された値（Ｅｘｐ＿ＴｏｔＣｏｕｐｌｅｄＬｏａｄｊ）を計算することを含む。
【数１２】
2011024243.tif 000014
【００９１】
但し、αiは、フィルター係数であり、Ｌはフィルタリングの長さである。係数αiを推定するための信号処理スキームを採用してもよい。さらに、係数αiは、時刻ｎ＋１において、推定されたＴｏｔＣｏｕｐｌｅｄＬｏａｄｊ［ｎ＋１］と実際に測定されたＴｏｔＣｏｕｐｌｅｄＬｏａｄｊ［ｎ＋１］との間の平均二乗誤差を最小にするように適応的に変更することができる。
【００９２】
それゆえ、少なくとも１つ前の送信のための他の基地局によりサービスされる移動局のリバースリンク送信２１０による合計結合負荷が決定される。推定される予測される結合負荷は、以前の合計の結合負荷に基づき、以前の結合負荷の１つに等しく設定してもよいし、または以前の送信期間の複数の結合負荷を処理することにより決定してもよい。いくつかの状況において、他の技術を用いて、以前の結合負荷に基づいて、推定される予測される結合負荷を決定してもよい。
【００９３】
リバースリンク送信上にＨｙｂｒｉｄ−ＡＲＱを備えたシステムでは、パケットの送信は、パケットが連続的に受信されるまで複数の送信によって実行される。第１の送信とそれぞれの送信との間の遅延が固定のままであるなら、パケットの送信とその次の再送信は、ＡＲＱインスタンスと呼ばれる。再送信により、その後のＡＲＱインスタンス期間中の結合負荷間に強い相関が存在してもよい。この相関を利用するために、ＴｏｔＣｏｕｐｌｅｄＬｏａｄは同じＡＲＱインスタンス中に以前の送信から評価してもよい。ステップ１６０６において、基地局は、推定される予測される結合負荷１５０８に従って基地局によりサービスされる移動局のリバースリンク送信２１０を管理する。第３の例示実施形態において、サービスしていない基地局ｊは、推定される予測される結合負荷ＴｏｔＣｏｕｐｌｅｄＬｏａｄｊ［ｎ＋１］を決定した後、以下の式に従ってサービスしている基地局として基地局ｊを有する移動局をスケジュールするための利用可能なキャパシティを更新する。
【数１３】
2011024243.tif 000015
【００９４】
第３の例示実施形態において、合計の利用可能なキャパシティが超えないように、基地局ｊは、リバースリンクリソースを割り当てる。従って、第３の例示実施形態において、サービスしていない基地局１５０６として機能する基地局は、他の基地局１５０４によりサービスされるすべての移動局１５０２によって予測される結合負荷を推定し、合計の予測される結合負荷を考慮した後で基地局における残りの合計キャパシティに基づいてサービスしていない基地局１５０６によりサービスされる移動局にリバースリンクソースを割り当てる。明らかに、本発明の他の実施形態および変更は、これらの教示に鑑みて当業者には容易に生じるであろう。上記記載は説明に役立つものであり、制限するものではない。本発明は、上記明細書および添付図面とともに見るとき、すべてのそのような実施形態および変形例を含む、以下のクレームにより本発明は限定されるべきである。それゆえ、本発明の範囲は、上記記載を参照して決定されなければならないが代わりに均等物の全範囲に沿った添付されたクレームを参照して決定されるべきである。
【図１】
2011024243.tif 000016
【図２】
2011024243.tif 000017
【図３】
2011024243.tif 000018
【図４】
2011024243.tif 000019
【図５】
2011024243.tif 000020
【図６】
2011024243.tif 000021
【図７】
2011024243.tif 000022
【図８】
2011024243.tif 000023
【図９】
2011024243.tif 000024
【図１０】
2011024243.tif 000025
【図１１】
2011024243.tif 000026
【図１２】
2011024243.tif 000027
【図１３】
2011024243.tif 000028
【図１４】
2011024243.tif 000029
【図１５】
2011024243.tif 000030
【図１６】
2011024243.tif 000031
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
移動局に対してサービング基地局(a serving base station)として機能する基地局において実行される方法において、
他の基地局において測定された結合負荷の結合負荷インジケータを前記他の基地局から受信することと、ここにおいて、前記結合負荷インジケータは、前記サービング基地局によるサービスされている移動局のリバースリンク送信により前記他の基地局において経験された結合リバースリンク負荷を示し、前記他の基地局をアクティブ基地局のセット内に維持することと、
前記結合負荷インジケータと、前記移動局の移動局送信パラメータとに基づいて、前記移動局による前記他の基地局に対する予測された結合負荷を決定することと、ここにおいて、前記他の基地局は、前記移動局に対するノンサービング基地局(a non-serving base station)である、
リバースリンク送信を管理するための利用可能なキャパシティを決定するために前記他の基地局により使用される前記予測された結合負荷を送信することと、
を備えた方法。
【請求項２】
前記予測される結合負荷を送信することは、前記基地局と前記他の基地局との間に接続された迂回中継(a backhaul)を介して前記予測された結合負荷を送信することを含む、請求項１の方法。
【請求項３】
前記移動局送信パラメータは、前記移動局からの、リバースリンク送信の送信データレートを含む、請求項１の方法。
【請求項４】
前記移動局送信パラメータは送信電力レベルを含む、請求項３の方法。
【請求項５】
前記結合負荷インジケータは、前記他の基地局において測定された、チップあたりのエネルギ対雑音プラス干渉比(Ecp/Nt)を表す、請求項１の方法。
【請求項６】
前記予測された結合負荷は、前記他の基地局における予測されたチップあたりのエネルギ対雑音プラス干渉比(Ecp/Nt)を表す、請求項１の方法。
【請求項７】
分散基地局通信システムにおいてリバースリンク通信を管理するための、基地局において実行される方法において、
結合負荷インジケータを他の基地局に送信することと、ここにおいて、前記結合負荷インジケータは、前記他の基地局によりサービスされているいい同局のリバースリンク送信による結合負荷を示す、
前記結合負荷インジケータに応答して前記他の基地局から予測された結合負荷を受信することと、ここにおいて、前記予測された結合負荷は、前記他の基地局によりサービスされている前記移動局のリバースリンク送信による前記基地局において経験された予測された結合リバースリンク負荷である、
前記予測された結合負荷に基づいて前記基地局のための利用可能なキャパシティを決定することと、
前記基地局を他の移動局のサービング基地局として識別する前記他の移動局の中で前記利用可能なキャパシティに従ってリバースリンク送信を管理することと、
を備え、前記基地局は前記移動局に対するノンサービング基地局(a non-serving base station)である、方法。
【請求項８】
前記予測された結合負荷は前記基地局において測定された結合負荷および前記移動局の移動局送信パラメータに基づく、請求項９７の方法。
【請求項９】
前記移動局送信パラメータは前記移動局の送信レートを含む、請求項８の方法。
【請求項１０】
前記移動局送信パラメータは前記移動局の送信電力レベルを含む、請求項８の方法。
【請求項１１】
前記利用可能なキャパシティを決定することは、前記基地局のトータルキャパシティと少なくとも前記予測された結合負荷との間の差分を計算することを含む、請求項７の方法。
【請求項１２】
前記差分を計算することは、
他のソースによる負荷と、複数の他の基地局によりサービスされる複数の移動局に対応する複数の予測された結合負荷とを加算することによりトータル負荷を計算することと、
前記トータルキャパシティと前記トータル負荷との間の差分を計算して前記利用可能なキャパシティを生成することと、
を含む、請求項１１の方法。
【請求項１３】
分散基地局通信システム内の基地局の一部としての装置において、
他の基地局から、前記他の基地局において測定された結合負荷パラメータの結合負荷インジケータを受信する、ここにおいて、前記結合負荷インジケータは、前記基地局によりサービスされている移動局のリバースリンク送信により前記他の基地局において経験された結合リバースリンク負荷を示す、および前記他の基地局をアクティブ基地局のセット内に維持するように構成された制御インターフェースと、
前記結合負荷インジケータおよび前記移動局の移動局送信パラメータに基づいて、前記移動局の予測された送信による前記他の基地局に対する予測された結合負荷を決定するように構成されたプロセッサと、
を備え、
前記制御インターフェースは、リバースリンク送信を管理するための利用可能なキャパシティを決定するために、前記他の基地局により使用される前記予測された結合負荷を送信するように構成される、装置。
【請求項１４】
前記制御インターフェースは、前記基地局および前記他の基地局に接続された迂回中継を介して前記予測された結合負荷を送信するようにさらに構成された、請求項１３の装置。
【請求項１５】
前記移動局送信パラメータは、前記移動局からのリバースリンク送信の送信データレートを含む、請求項１３の装置。
【請求項１６】
前記移動局送信パラメータは、送信電力レベルをさらに含む、請求項１５の装置。
【請求項１７】
前記結合負荷インジケータは、前記他の基地局におけるチップあたりのエネルギ対雑音プラス干渉比(Ecp/Nt)を表す、請求項１３の装置。
【請求項１８】
前記予測された結合負荷は、前記他の基地局における予測されたチップあたりのエネルギ対雑音プラス干渉比(Ecp/Nt)を表す、請求項１３の装置。
【請求項１９】
分散基地局通信システム内の基地局の一部としての装置において、
結合負荷インジケータを他の基地局に送信する、ここにおいて、前記結合負荷インジケータは、前記他の基地局によりサービスされている移動局のリバースリンク送信による結合負荷を示す、
前記結合負荷インジケータに応答して予測された結合負荷を前記他の基地局から受信する、ここにおいて、前記予測された結合負荷は、前記他の基地局によりサービスされている前記移動局のリバースリンク送信による前記基地局において経験される予測された結合リバースリンク負荷である、
前記予測された結合負荷に基づいて前記基地局のための利用可能なキャパシティを決定する、
前記基地局を、前記他の移動局のサービング基地局として識別する他の移動局の中で、前記利用可能なキャパシティに従って、リバースリンク送信を管理する、
ように構成されたプロセッサを備え、
前記基地局は、前記移動局に対するノンサービング基地局(a non-serving base station)である、装置。
【請求項２０】
前記予測された結合負荷は、前記基地局において測定された結合負荷パラメータと、前記移動局の送信パラメータに基く、請求項１９の装置。
【請求項２１】
前記送信パラメータは、前記移動局の送信レートを含む、請求項２０の装置。
【請求項２２】
前記送信パラメータは、前記移動局の送信電力レベルを含む、請求項２０の装置。
【請求項２３】
前記プロセッサは、前記基地局のトータルキャパシティと、少なくとも前記予測された結合負荷との間の差分を計算することにより前記利用可能なキャパシティを決定するようにさらに構成される、請求項１９の装置。
【請求項２４】
前記プロセッサは、
他のソースによる負荷と、複数の他の基地局によりサービスされる複数の移動局に対応する複数の予測された結合負荷とを加算することによりトータル負荷を計算することにより、および
前記利用可能なキャパシティを生成するために、前記トータルキャパシティと前記トータル負荷との間の差分を計算することにより、前記差分を計算するようにさらに構成される、請求項２３の装置。
【請求項２５】
基地局において実行可能な命令を記憶したコンピュータ読み取り可能な媒体において、前記命令は、
他の基地局において測定された結合負荷パラメータの結合負荷インジケータを前記他の基地局から受信し、ここにおいて、前記結合負荷インジケータは、前記サービング基地局によりサービスされている前記移動局のリバースリンク送信により前記他の基地局において経験された結合リバースリンク負荷を示す、および前記他の基地局をアクティブ基地局のセット内に維持する命令と、
前記結合負荷インジケータと前記移動局の移動局送信パラメータとに基いて、前記移動局の予測された送信による前記他の基地局に対する予測された結合負荷を決定するための命令と、ここにおいて、前記他の基地局は前記移動局に対するノンサービング基地局である、
リバースリンク送信を管理するための利用可能なキャパシティを決定するために、前記他の基地局により使用される前記予測された結合負荷を送信する命令と、
を備えた、コンピュータ読み取り可能媒体。
【請求項２６】
基地局において実行可能な命令を記憶するコンピュータ読み取り可能媒体において、
前記命令は、
結合負荷インジケータを他の基地局に送信する命令と、ここにおいて、前記結合負荷インジケータは、前記他の基地局によりサービスされている移動局のリバースリンク送信による結合負荷を示す、
前記結合負荷インジケータに応答して予測された結合負荷を前記他の基地局から受信する命令、ここにおいて、前記予測された結合負荷は、前記他の基地局によりサービスされている前記移動局のリバースリンク送信により前記基地局において経験された予測された結合リバースリンク負荷である、
予測された結合負荷に基いて前記基地局のための利用可能なキャパシティを決定する命令と、
前記基地局を他の移動局のサービング基地局として識別する前記他の移動局の中で、前記利用可能なキャパシティに従って、リバースリンク送信を管理する命令と、
を備え、
前記基地局は、少なくとも１つの移動局に対するノンサービング基地局である、コンピュータ読み取り可能媒体。
【請求項２７】
無線通信のための基地局内の装置において、
他の基地局における結合負荷測定パラメータの結合負荷インジケータを前記他の基地局から受信する、ここにおいて、前記結合負荷インジケータは、サービング基地局によりサービスされている前記移動局のリバースリンク送信により前記他の基地局において経験された結合リバースリンク負荷を示す、および前記他の基地局をアクティブ基地局のセット内に維持する手段と、
前記結合負荷インジケータおよび前記移動局の移動局送信パラメータに基いて、前記移動局による前記他の基地局に対する予測された結合負荷を決定する手段、ここにおいて、前記他の基地局は前記移動局に対するノンサービング基地局である、
リバースリンク送信を管理するための利用可能なキャパシティを決定するために、前記他の基地局により使用される予測された結合負荷を送信する手段と、
を備えた、装置。
【請求項２８】
前記受信する手段は、前記基地局および前記他の基地局に接続された迂回中継を介して前記予測された結合負荷を送信するようにさらに構成される、請求項２７の装置。
【請求項２９】
前記移動局送信パラメータは、前記移動局からのリバースリンク送信の送信データレートを含む、請求項２７の装置。
【請求項３０】
前記移動局送信パラメータは、送信電力レベルをさらに含む、請求項２９の装置。
【請求項３１】
前記結合負荷インジケータは、前記他の基地局において測定されたチップあたりのエネルギ対雑音プラス干渉比(Ecp/Nt)を表す、請求項２７の装置。
【請求項３２】
前記予測された結合負荷は、前記他の基地局における予測されたチップあたりのエネルギ対雑音プラス干渉比(Ecp/Nt)を表す、請求項２７の装置。
【請求項３３】
無線通信のための基地局内の装置において、
結合負荷インジケータを他の基地局に送信する手段と、ここにおいて、前記結合負荷インジケータは、他の基地局によりサービスされている移動局のリバースリンク送信による結合負荷を示す、
前記結合負荷インジケータに応答して予測された結合負荷を前記他の基地局から受信する手段と、ここにおいて、前記予測された結合負荷は、前記他の基地局によりサービスされている前記移動局のリバースリンク送信により前記基地局において経験された予測された結合リバースリンク負荷である、
前記予測された結合負荷に基いて前記基地局のための利用可能なキャパシティを決定する手段と、
前記基地局を前記他の移動局のサービング基地局として識別する他の移動局の中で、前記利用可能なキャパシティに従って、リバースリンク送信を管理する手段と、
を備え、
前記基地局は、前記移動局に対するノンサービング基地局である、装置。
【請求項３４】
前記予測された結合負荷は、前記基地局における測定された結合負荷パラメータおよび前記移動局の送信パラメータに基く、請求項３３の装置。
【請求項３５】
前記送信パラメータは、前記移動局の送信レートを含む、請求項３４の装置。
【請求項３６】
前記送信パラメータは、前記移動局の送信電力レベルを含む、請求項３４の装置。
【請求項３７】
前記基地局のトータルキャパシティと少なくとも前記予測された結合負荷との間の差分を計算することにより前記利用可能なキャパシティを決定する手段をさらに備えた、請求項３３の装置。
【請求項３８】
他のソースによる負荷をと、複数の他の基地局によりサービスされる複数の移動局に対応する複数の予測された結合負荷とを加算することによりトータル負荷を計算することにより、および
前記利用可能なキャパシティを生成するために前記トータルキャパシティと前記トータル負荷との間の差分を計算することにより、
前記差分を計算する手段をさらに備えた、請求項３７の装置。
【請求項３９】
受信機と、
他の基地局において測定された結合負荷パラメータの結合負荷インジケータを前記他の基地局から前記受信機を介して受信することができる、ここにおいて、前記結合負荷インジケータは、前記基地局によりサービスされている前記移動局のリバースリンク送信により他の基地局において経験された結合リバースリンク負荷を示す、および前記他の基地局をアクティブ基地局のセット内に維持することができる制御インターフェースと、
前記結合負荷インジケータと、前記移動局の移動局送信パラメータに基いて、前記移動局の予測された送信による前記他の基地局に対する予測された結合負荷を決定することができるプロセッサと、
を備え、
前記制御インターフェースは、リバースリンク送信を管理するための利用可能なキャパシティを決定するために前記他の基地局により使用される前記予測された結合負荷を送信することができる、基地局。
【請求項４０】
受信機と、
結合負荷インジケータを他の基地局に送信する、ここにおいて、前記結合負荷インジケータは、他の基地局によりサービスされている移動局のリバースリンク送信による結合負荷を示す、
前記結合負荷インジケータに応答して予測された結合負荷を前記他の基地局から受信する、ここにおいて、前記予測された結合負荷は、前記他の基地局によりサービスされている前記移動局のリバースリンク送信により前記基地局において経験された予測された結合リバースリンク負荷である、
前記受信機を介して受信された前記予測された結合負荷に基いて前記基地局のための利用可能なキャパシティを決定する、
前記基地局を前記他の移動局のサービング基地局として識別する他の移動局の中で、前記利用可能なキャパシティに従って、リバースリンク送信を管理する、
ように構成されたプロセッサと、
を備え、
前記基地局は、前記移動局に対するノンサービング基地局である、基地局。
【外国語明細書】
2011024243000001.pdf